(57)【要約】【課題】補助的な帯状遮蔽体を用いずに、光漏れが生じる隙間量の総和を変化させて、第１遮蔽体ユニットの隣り合う遮蔽体間の隙間や外側面からの光漏れを防止する。【解決手段】日射遮蔽装置１０は、天井、壁又は窓枠１６に取付けられた１組の取付フレーム１１と、１組の取付フレーム１１からそれぞれ垂下され昇降可能な少なくとも２組の遮蔽体１３，１４を有する第１遮蔽体ユニット１２とを備える。第１遮蔽体ユニット１２のうち隣り合う遮蔽体１３，１４の長手方向の一部が重合するように構成される。また、隣り合う遮蔽体１３，１４が重合した状態でその重合長さが変化することにより第１遮蔽体ユニット１２が長手方向に伸長又は縮小するように構成される。更に、第１遮蔽体ユニット１２の両端が取付フレーム１１の両端より長手方向にそれぞれ突出するように構成される。【選択図】図１
2018178664.tif 000002
【特許請求の範囲】
【請求項１】
天井、壁又は窓枠に取付けられた１組の取付フレームと、前記１組の取付フレームからそれぞれ垂下され昇降可能な少なくとも２組の遮蔽体を有する第１遮蔽体ユニットとを備えた日射遮蔽装置であって、
前記第１遮蔽体ユニットのうち隣り合う遮蔽体の長手方向の一部が重合するように構成され、
前記隣り合う遮蔽体が重合した状態でその重合長さが変化することにより前記第１遮蔽体ユニットが長手方向に伸長又は縮小するように構成され、
前記第１遮蔽体ユニットの両端が前記取付フレームの両端より長手方向にそれぞれ突出するように構成された
ことを特徴とする日射遮蔽装置。
【請求項２】
天井、壁又は窓枠にそれぞれ取付けられ水平方向に延びる少なくとも２組の取付フレームを有する第１フレームユニットと、前記少なくとも２組の取付フレームからそれぞれ垂下され昇降可能な少なくとも２組の遮蔽体を有する第１遮蔽体ユニットとを備えた日射遮蔽装置であって、
前記少なくとも２組の取付フレームが間隔をあけて一直線状に延びて設けられかつ長手方向に相対的に移動可能に構成され、
前記第１遮蔽体ユニットのうち隣り合う遮蔽体の長手方向の一部が重合するように構成され、
前記第１フレームユニットが長手方向に伸長又は縮小することにより前記隣り合う遮蔽体が重合した状態でその重合長さが変化して前記第１遮蔽体ユニットが長手方向に伸長又は縮小するように構成され、
前記第１遮蔽体ユニットの両端が前記第１フレームユニットの両端より長手方向にそれぞれ突出するように構成された
ことを特徴とする日射遮蔽装置。
【請求項３】
前記少なくとも２組の遮蔽体の下端に少なくとも２組のボトムレールがそれぞれ設けられ、前記少なくとも２組のボトムレールにより第１ボトムユニットが構成され、前記第１遮蔽体ユニットの長手方向への伸長又は縮小に拘らず、前記隣り合うボトムレールが互いに接触しないように各遮蔽体より短く形成された請求項１又は２記載の日射遮蔽装置。
【請求項４】
前記第１遮蔽体ユニットとは別に、別の取付フレーム又は別の第２フレームユニットから垂下された第２遮蔽体ユニット或いは別の取付フレームから垂下された別の遮蔽体が設けられ、前記別の第２遮蔽体ユニット又は前記別の遮蔽体が前記第１遮蔽体ユニットの長手方向に隣接して設けられ、前記第１遮蔽体ユニット又は前記別の第２遮蔽体ユニットを長手方向に伸長させることにより、前記第１遮蔽体ユニットと前記別の第２遮蔽体ユニット又は前記別の遮蔽体との互いに対向する端面の隙間が狭くなるか或いは互いに対向する端部が重合するように構成された請求項１ないし３いずれか１項に記載の日射遮蔽装置。
【請求項５】
下端に前記第１ボトムユニットが設けられた前記第１遮蔽体ユニットを単独で備えるか、或いは下端に前記第１ボトムユニットが設けられた前記第１遮蔽体ユニットと、下端に別の第２ボトムユニットが設けられた前記別の第２遮蔽体ユニットとを備え、前記第１ボトムユニット又は前記別の第２ボトムユニットのいずれか一方又は双方が前記第１遮蔽体ユニット又は前記別の第２遮蔽体ユニットのいずれか一方又は双方より短く形成された請求項３又は４記載の日射遮蔽装置。
【請求項６】
前記第１ボトムユニットのうち前記別の第２ボトムユニット又は前記別のボトムレールに対向するボトムレールに前記別の第２ボトムユニット又は前記別のボトムレールに向ってひれ部材が突設された請求項５記載の日射遮蔽装置。
【請求項７】
水平面内であって前記第１遮蔽体ユニットの長手方向に直交する方向を前記第１遮蔽体ユニットの前後方向とするとき、前記第１遮蔽体ユニットをこの第１遮蔽体ユニットの前後方向に移動させて、前記第１遮蔽体ユニット又は前記別の第２遮蔽体ユニットのいずれか一方又は双方を長手方向に伸長させることにより、前記第１遮蔽体ユニットと前記別の第２遮蔽体ユニット又は前記別の遮蔽体との互いに対向する端面の隙間が狭くなるか或いは互いに対向する端部が重合するように構成された請求項４ないし６いずれか１項に記載の日射遮蔽装置。
【請求項８】
前記第１遮蔽体ユニットを単独で備えるか、或いは前記第１遮蔽体ユニットと前記別の第２遮蔽体ユニットとを備え、前記第１遮蔽体ユニット又は前記別の第２遮蔽体ユニットのいずれか一方又は双方の伸長前の状態を初期状態とするとき、前記第１遮蔽体ユニット又は前記別の第２遮蔽体ユニットのいずれか一方又は双方は前記初期状態を除いてそれぞれ昇降を不能にするように構成された請求項１ないし７いずれか１項に記載の日射遮蔽装置。
【請求項９】
前記第１遮蔽体ユニットの伸長前の状態を初期状態とするとき、前記第１遮蔽体ユニット及び前記別の遮蔽体は前記初期状態を除いてそれぞれ昇降を不能にするように構成された請求項４ないし７いずれか１項に記載の日射遮蔽装置。
【請求項１０】
前記第１遮蔽体ユニットを単独で備えるか、或いは前記第１遮蔽体ユニットと前記別の第２遮蔽体ユニットとを備え、前記第１遮蔽体ユニット或いは前記別の第２遮蔽体ユニット又は前記別の遮蔽体のいずれか一方又は双方の下端が最下限位置に達したとき又は最下限に近い位置で、前記第１遮蔽体ユニット又は前記別の第２遮蔽体ユニットのいずれか一方又は双方がその長手方向に伸長するように構成された請求項１ないし９いずれか１項に記載の日射遮蔽装置。
【請求項１１】
前記第１遮蔽体ユニットの前記少なくとも２組の遮蔽体が水平方向に延びかつ鉛直方向に所定の間隔をあけて設けられた複数のスラットでそれぞれ構成される第１スラット群ユニットの少なくとも２組のスラット群であり、前記少なくとも２組のスラット群のうち隣り合うスラット群の各スラットの長手方向の一部が交互に重合するように構成された請求項１ないし１０いずれか１項に記載の日射遮蔽装置。
【請求項１２】
前記第１スラット群ユニット又は別の第２スラット群ユニットのいずれか一方又は双方を長手方向に伸長させることにより、前記第１スラット群ユニットと前記別の第２スラット群ユニット又は別のスラット群との互いに対向する端面の隙間が狭くなるか或いは互いに対向する端部が重合するように構成された請求項１１記載の日射遮蔽装置。
【請求項１３】
前記第１スラット群ユニットを単独で備えるか、或いは前記第１スラット群ユニットと前記別の第２スラット群ユニットとを備え、前記第１スラット群ユニット又は前記別の第２スラット群ユニットのいずれか一方又は双方の伸長前の状態を初期状態とするとき、前記第１スラット群ユニット又は前記別の第２スラット群ユニットのいずれか一方又は双方は前記初期状態を除いてそれぞれ昇降又はチルト或いは昇降及びチルトを不能にするように構成された請求項１１又は１２記載の日射遮蔽装置。
【請求項１４】
前記第１スラット群ユニットの伸長前の状態を初期状態とするとき、前記第１遮蔽体ユニット及び前記別のスラット群は前記初期状態を除いてそれぞれ昇降又はチルト或いは昇降及びチルトを不能にするように構成された請求項１２記載の日射遮蔽装置。
【請求項１５】
前記第１スラット群ユニットを単独で備えるか、或いは前記第１スラット群ユニットと前記別の第２スラット群ユニット又は前記別のスラット群とを備え、前記第１スラット群ユニット或いは前記別の第２スラット群ユニット又は前記別のスラット群のいずれか一方又は双方の各スラットが最も光漏れの少ない角度に調節された状態で、前記第１スラット群ユニット又は前記別の第２スラット群ユニットのいずれか一方又は双方がその長手方向に伸長するように構成された請求項１１ないし１４いずれか１項に記載の日射遮蔽装置。
【発明の詳細な説明】
【技術分野】
【０００１】
本発明は、天井、壁又は窓枠に取付フレームが取付けられ、この取付フレームから垂下された遮蔽体が昇降可能に構成された日射遮蔽装置に関する。更に詳しくは、第１遮蔽体ユニットの隣り合う遮蔽体が重合した状態でその重合長さが変化して、光漏れが生じる隙間量の総和を変化させることにより、上記隣り合う遮蔽体間の隙間や外側面からの光漏れを防止する、水平方向に連なる連窓に適した日射遮蔽装置に関するものである。
【背景技術】
【０００２】
従来、固定面に固定された支持部材から昇降可能に遮蔽材が吊下げられ、遮蔽材が上昇した状態に対して、遮蔽材が下降した状態における固定面に対する遮蔽材の吊下げ位置が支持部材の長手方向に変化するように構成されたブラインドが開示されている（例えば、特許文献１参照。）。このブラインドでは、遮蔽材が支持部材から昇降可能に吊下げられる昇降コードの昇降に伴って昇降し、昇降コードを巻取可能なドラムが支持部材の長手方向に移動することにより、支持部材からの昇降コードの吊下げ位置が長手方向に移動し、昇降コードと一体に遮蔽材が移動するように構成される。また、遮蔽材は、遮蔽材の昇降に連動して支持部材の長手方向へ移動するように構成されるか、或いは遮蔽材の下降途中において下限位置の手前から支持部材の長手方向へ移動するように構成される。
【０００３】
このように構成されたブラインドでは、スラット（遮蔽材）の昇降の全区間において長手方向に移動する場合、スラットが上限位置まで上昇しているとき、隣り合うスラット同士は最大に離隔しており、隣り合うヘッドボックスの隙間と同程度の間隔の隙間が形成され、スラットの下降に伴ってスラットが隣り合うスラット方向へ移動し、隣り合うスラット同士の隙間が徐々に小さくなっていき、スラットが下限位置まで下降すると、隣り合うスラット同士の隙間が閉塞された状態になる。また、スラットが下限位置まで下降した後に長手方向に移動する場合、スラットが上限位置まで上昇しているときから下限位置まで下降しているときまで、隣り合うスラットの隙間は一定であり、スラットが下限位置まで下降した後に、回転軸及び遮蔽材昇降装置を長手方向にスライドさせることで、スラットが隣り合うスラット方向へ移動し、隣り合うスラットの隙間が閉塞される。更に、支持部材をブラケット等によって窓枠等に固定し、この支持部材内に２つのヘッドボックスを長手方向に移動可能に配設した場合、スラットが下限位置まで下降したときに、隣り合うヘッドボックス自体が互いに接近する方向に移動することにより、隣り合うスラット同士の隙間を閉塞する。従って、スラットが上昇した状態における固定面に対するスラットの吊下げ位置と、スラットが下降した状態における固定面に対するスラットの吊下げ位置とが異なるので、スラットが下降した状態においてスラットの吊下げ位置を支持部材の長手方向に変化させることにより、スラットが窓枠に近付いてスラットと窓枠との隙間が小さくなり、また隣り合うスラット同士が近付いてスラット同士の隙間が小さくなり、光漏れを防止できる。
【０００４】
一方、昇降可能な遮蔽材が垂下手段により垂下され、遮蔽材の端部が帯状遮蔽材により遮蔽され、この帯状遮蔽材が、垂下手段に一体的に設けられた帯状遮蔽材保持手段又は遮蔽材に支持された遮蔽装置が開示されている（例えば、特許文献２の図１３及び図１５参照。）。この遮蔽装置では、帯状遮蔽材は、帯状遮蔽材保持手段により垂下手段に対して相対移動可能に支持される。また、帯状遮蔽材又は帯状遮蔽材の支持部材を紐などで移動方向に引くように構成してもよく、これにより帯状遮蔽材を直接引くことなく移動できる。また、遮蔽体及び帯状遮蔽体をハニカム状に形成した場合、帯状遮蔽材の基端側に切込みが所定長で形成され、ハニカム状に形成された状態の接合片上に長孔が形成され、この長孔に昇降コードが挿通される。更に、遮蔽材の下縁部には錘部材が設けられる。
【０００５】
このように構成された遮蔽装置では、遮蔽材の全閉状態で隙間を塞ぐことが可能な帯状遮蔽材を用いて室内への採光量や通気性を調節できるとともに、帯状遮蔽材の取付施工性を向上できる。
【先行技術文献】
【特許文献】
【０００６】
【特許文献１】特開２０１４−２０６００９号公報（請求項１、２、９及び１０、段落［００２０］、［００４９］、［００５０］、［００５２］、図７Ａ〜図７Ｄ、図８Ａ〜図８Ｄ、図１０Ａ、図１０Ｂ）
【特許文献２】特開２０１６−１２５２６０号公報（請求項１及び２、段落［０００３］、［００１９］、［００６９］、［００８１］、図１〜図７、図１３、図１５）
【発明の概要】
【発明が解決しようとする課題】
【０００７】
しかし、上記従来の特許文献１に示されたブラインドでは、隣り合うスラット同士の端面を突き合せることによりこれらのスラット同士の隙間を閉塞するため、ブラインドを室内側から見たとき、光漏れが生じる隙間量の総和、即ち隙間面積の総和が同一である。このため、上記従来の特許文献１に示されたブラインドでは、このブラインドを窓枠内に収まるように取付けた場合、隙間の面積の総和を小さくすることができず、窓枠内を全てスラットで覆うことができないため、隣り合うスラット間の隙間或い隣り合うスラットの外側面から光が漏れる問題点もあった。また、上記従来の特許文献１に示されたブラインドでは、隣り合うスラット同士の端面を突き合せることによりこれらのスラット同士の隙間を閉塞するため、上記突き合せた部位から光が漏れ易い問題点もあった。
【０００８】
一方、上記従来の特許文献２の図１３及び図１５に示された遮蔽装置では、帯状遮蔽材専用の錘部材のない帯状遮蔽体に１本の昇降コードが挿通されている場合、紐などで帯状遮蔽材を移動方向に引くと、帯状遮蔽材が横移動するときに、遮蔽材の位置によっては帯状遮蔽材が遮蔽材に引っ掛かるか、或いは帯状遮蔽材と錘部材との間の抵抗などにより、スムーズに移動できない問題点があった。また、上記従来の特許文献２に示された遮蔽装置では、帯状遮蔽体に１本の昇降コードが挿通されている場合、遮蔽材を紐により移動することにより、遮蔽材に形成された紐取付孔と紐との接触部にストレスが加わり、生地によっては紐取付孔が上記ストレスにより大きくなってしまう問題点もあった。また、上記従来の特許文献２の図２、図３及び図７に示された遮蔽装置では、錘部材の厚さが比較的厚いと、遮蔽材の重合部に隙間が発生して、この隙間から光が漏れ易い問題点もあった。また、上記従来の特許文献２に示された遮蔽装置では、窓が水平方向に連なる連窓である場合等、隣り合う遮蔽材を突き合せた部位から光が漏れ易い問題点もあった。また、上記従来の特許文献２に示された遮蔽装置では、遮蔽材を巻取った場合、帯状遮蔽材が巻取られずに繰出されたままになる問題点もあった。更に、上記従来の特許文献２に示された遮蔽装置では、この遮蔽装置が複数のスラットを有する木製ブラインド（横型ブラインド）である場合、隣接するスラットの一部を重合させようとすると、隣接するスラットのチルト角が異なる場合やスラットが厚い場合、隣接するスラット同士が接触してしまう問題点もあった。
【０００９】
本発明の第１の目的は、補助的な帯状遮蔽体を用いずに、光漏れが生じる隙間量の総和を変化させることにより、第１遮蔽体ユニットの隣り合う遮蔽体間の隙間や外側面からの光漏れを防止できる、日射遮蔽装置を提供することにある。本発明の第２の目的は、第１遮蔽体ユニットが伸長又は縮小しても、第１遮蔽体ユニットの隣り合う遮蔽体が長手方向に離間せず重合した状態に保たれることにより、隣り合う遮蔽体間から光が漏れるのを防止できる、日射遮蔽装置を提供することにある。本発明の第３の目的は、窓が水平方向に連なる連窓である場合、第１遮蔽体ユニットの一部が別の第２遮蔽体ユニット又は別の遮蔽体の一部に重合しても、取付フレーム又は第１フレームユニットの取付フレームが別の第２フレームユニットの取付フレーム又は別の取付フレームに接触するのを阻止することにより、第１遮蔽体ユニットと別の第２遮蔽体ユニット等を重合させ光漏れを防止できる、日射遮蔽装置を提供することにある。本発明の第４の目的は、第１遮蔽体ユニットを所定の長さまで確実に縮小できるとともに、第１ボトムユニットの隣り合うボトムレールの接触を阻止することにより、ボトムレール同士の接触による重合した遮蔽体からの光漏れを防止できる、日射遮蔽装置を提供することにある。本発明の第５の目的は、窓が水平方向に連なる連窓である場合、第１遮蔽体ユニットの一部が別の第２遮蔽体ユニット又は別の遮蔽材の一部に重合することにより、連窓全体を覆うことができるとともに、第１遮蔽体ユニットと別の第２遮蔽体ユニット又は別の遮蔽材との間の光漏れを防止できる、日射遮蔽装置を提供することにある。本発明の第６の目的は、窓が水平方向に連なる連窓である場合、第１ボトムユニットが別の第２ボトムユニット等に接触するのを阻止することによりこれらの損傷を防止できるとともに、第１遮蔽体ユニットと別の第２遮蔽体ユニット等との間の光漏れを防止できる、日射遮蔽装置を提供することにある。本発明の第７の目的は、第１スラット群ユニットの前後方向と第１スラット群ユニットの長手方向への伸縮により、第１スラット群ユニットと別の第２スラット群ユニット等との接触を抑制できる、日射遮蔽装置を提供することにある。
【課題を解決するための手段】
【００１０】
本発明の第１の観点は、図１に示すように、天井、壁又は窓枠１６に取付けられた１組の取付フレーム１１と、１組の取付フレーム１１からそれぞれ垂下され昇降可能な少なくとも２組の遮蔽体１３，１４を有する第１遮蔽体ユニット１２とを備えた日射遮蔽装置１０であって、第１遮蔽体ユニット１２のうち隣り合う遮蔽体１３，１４の長手方向の一部が重合するように構成され、上記隣り合う遮蔽体１３，１４が重合した状態でその重合長さが変化することにより第１遮蔽体ユニット１２が長手方向に伸長又は縮小するように構成され、第１遮蔽体ユニット１２の両端が取付フレーム１１の両端より長手方向にそれぞれ突出するように構成されたことを特徴とする。
【００１１】
本発明の第２の観点は、第１の観点に基づく発明であって、更に図１０及び図１１に示すように、天井、壁又は窓枠１６にそれぞれ取付けられ水平方向に延びる少なくとも２組の取付フレーム１０２，１０３を有する第１フレームユニット１０１と、少なくとも２組の取付フレーム１０２，１０３からそれぞれ垂下され昇降可能な少なくとも２組の遮蔽体１３，１４を有する第１遮蔽体ユニット１２とを備えた日射遮蔽装置１００であって、少なくとも２組の取付フレーム１０２，１０３が間隔をあけて一直線状に延びて設けられかつ長手方向に相対的に移動可能に構成され、第１遮蔽体ユニット１２のうち隣り合う遮蔽体１３，１４の長手方向の一部が重合するように構成され、第１フレームユニット１０１が長手方向に伸長又は縮小することにより上記隣り合う遮蔽体１３，１４が重合した状態でその重合長さが変化して第１遮蔽体ユニット１２が長手方向に伸長又は縮小するように構成され、第１遮蔽体ユニット１２の両端が第１フレームユニット１０１の両端より長手方向にそれぞれ突出するように構成されたことを特徴とする。
【００１２】
本発明の第３の観点は、第１又は第２の観点に基づく発明であって、更に図１に示すように、少なくとも２組の遮蔽体１３，１４の下端に少なくとも２組のボトムレール２７，２８がそれぞれ設けられ、少なくとも２組のボトムレール２７，２８により第１ボトムユニット２６が構成され、第１遮蔽体ユニット１２の長手方向への伸縮に拘らず、上記隣り合うボトムレール２７，２８が互いに接触しないように各遮蔽体１３，１４より短く形成されたことを特徴とする。
【００１３】
本発明の第４の観点は、第１ないし第３の観点のいずれかに基づく発明であって、更に図１及び図６に示すように、第１遮蔽体ユニット１２とは別に、別の取付フレーム５１又は別の第２フレームユニットから垂下された第２遮蔽体ユニット或いは別の取付フレームから垂下された別の遮蔽体が設けられ、別の第２遮蔽体ユニット５２又は別の遮蔽体が第１遮蔽体ユニット１２の長手方向に隣接して設けられ、第１遮蔽体ユニット１２又は別の第２遮蔽体ユニット５２を長手方向に伸長させることにより、第１遮蔽体ユニット１２と別の第２遮蔽体ユニット５２又は別の遮蔽体との互いに対向する端面の隙間が狭くなるか互いに対向する端部が重合するように構成されたことを特徴とする。
【００１４】
本発明の第５の観点は、第３又は第４の観点のいずれかに基づく発明であって、更に図１及び図６に示すように、下端に第１ボトムユニット２６が設けられた第１遮蔽体ユニット１２を単独で備えるか、或いは下端に第１ボトムユニット２６が設けられた第１遮蔽体ユニット１２と、下端に別の第２ボトムユニット５６が設けられた別の第２遮蔽体ユニット５２とを備え、第１ボトムユニット２６又は別の第２ボトムユニット５６のいずれか一方又は双方が第１遮蔽体ユニット１２又は別の第２遮蔽体ユニット５２のいずれか一方又は双方より短く形成されたことを特徴とする。
【００１５】
本発明の第６の観点は、第５の観点に基づく発明であって、更に第１ボトムユニットのうち別の第２ボトムユニット又は別のボトムレールに対向するボトムレールに別の第２ボトムユニット又は別のボトムレールに向ってひれ部材が突設されたことを特徴とする。
【００１６】
本発明の第７の観点は、第４ないし第６の観点のいずれかに基づく発明であって、更に図１３〜図１５に示すように、水平面内であって第１遮蔽体ユニット１２の長手方向に直交する方向を第１遮蔽体ユニット１２の前後方向とするとき、第１遮蔽体ユニット１２をこの第１遮蔽体ユニット１２の前後方向に移動させて、第１遮蔽体ユニット１２又は別の第２遮蔽体ユニット５２のいずれか一方又は双方を長手方向に伸長させることにより、第１遮蔽体ユニット１２と別の第２遮蔽体ユニット５２又は別の遮蔽体との互いに対向する端面の隙間が狭くなるか或いは互いに対向する端部が重合するように構成されたことを特徴とする。
【００１７】
本発明の第８の観点は、第１ないし第７の観点のいずれかに基づく発明であって、更に図１３〜図１７に示すように、第１遮蔽体ユニット１２を単独で備えるか、或いは第１遮蔽体ユニット１２と別の第２遮蔽体ユニット５２とを備え、第１遮蔽体ユニット１２又は別の第２遮蔽体ユニット５２のいずれか一方又は双方の伸長前の状態を初期状態とするとき、第１遮蔽体ユニット１２又は別の第２遮蔽体ユニット５２のいずれか一方又は双方は初期状態を除いて昇降を不能にするように構成されたことを特徴とする。ここで、本明細書において、初期状態とは、第１遮蔽体ユニット１２又は別の第２遮蔽体ユニット５２を最も縮小した状態以外の状態、即ち、第１遮蔽体ユニット１２又は別の第２遮蔽体ユニット５２を、重合しているか否かに拘らず伸長させている間、重合して停止している間、及び重合しているか否かに拘らず縮小させている間の状態をいう。
【００１８】
本発明の第９の観点は、第４ないし第７の観点のいずれかに基づく発明であって、更に第１遮蔽体ユニットの伸長前の状態を初期状態とするとき、第１遮蔽体ユニット及び別の遮蔽体は初期状態を除いてそれぞれ昇降を不能にするように構成されたことを特徴とする。
【００１９】
本発明の第１０の観点は、第１ないし第８の観点のいずれかに基づく発明であって、更に図１３〜図１７に示すように、第１遮蔽体ユニット１２を単独で備えるか、或いは第１遮蔽体ユニット１２と別の第２遮蔽体ユニット５２とを備え、第１遮蔽体ユニット１２或いは別の第２遮蔽体ユニット５２又は別の遮蔽体のいずれか一方又は双方の下端が最下限位置に達したとき又は最下限に近い位置で、第１遮蔽体ユニット１２又は別の第２遮蔽体ユニット５２のいずれか一方又は双方がその長手方向に伸長するように構成されたことを特徴とする。
【００２０】
本発明の第１１の観点は、第１ないし第１０の観点のいずれかに基づく発明であって、更に図１３〜図１５に示すように、第１遮蔽体ユニットの少なくとも２組の遮蔽体が水平方向に延びかつ鉛直方向に所定の間隔をあけて設けられた複数のスラット１３ａ，１４ａでそれぞれ構成される第１スラット群ユニット１２の少なくとも２組のスラット群１３，１４であり、少なくとも２組のスラット群１３，１４のうち隣り合うスラット群１３，１４の各スラット１３ａ，１４ａの長手方向の一部が交互に重合するように構成されたことを特徴とする。
【００２１】
本発明の第１２の観点は、第１１の観点に基づく発明であって、更に図１３〜図１７に示すように、第１スラット群ユニット１２又は別の第２スラット群ユニット５２のいずれか一方又は双方を長手方向に伸長させることにより、第１スラット群ユニット１２と別の第２スラット群ユニット５２又は別のスラット群との互いに対向する端面の隙間が狭くなるか或いは互いに対向する端部が重合するように構成されたことを特徴とする。
【００２２】
本発明の第１３の観点は、第１１又は第１２の観点に基づく発明であって、更に図１３〜図１７に示すように、第１スラット群ユニット１２を単独で備えるか、或いは第１スラット群ユニット１２と別の第２スラット群ユニット５２とを備え、第１スラット群ユニット１２又は別の第２スラット群ユニット５２のいずれか一方又は双方の伸長前の状態を初期状態とするとき、第１スラット群ユニット１２又は別の第２スラット群ユニット５２のいずれか一方又は双方は初期状態を除いてそれぞれ昇降又はチルト或いは昇降及びチルトを不能にするように構成されたことを特徴とする。
【００２３】
本発明の第１４の観点は、第１２の観点に基づく発明であって、更に第１スラット群ユニットの伸長前の状態を初期状態とするとき、第１遮蔽体ユニット及び別のスラット群は初期状態を除いてそれぞれ昇降又はチルト或いは昇降及びチルトを不能にするように構成されたことを特徴とする。
【００２４】
本発明の第１５の観点は、第１１ないし第１４の観点のいずれかに基づく発明であって、更に図１３及び図１５に示すように、第１スラット群ユニット１２を単独で備えるか、或いは第１スラット群ユニット１２と別の第２スラット群ユニット５２とを備え、第１スラット群ユニット１２或いは別の第２スラット群ユニット５２又は別のスラット群のいずれか一方又は双方の各スラット１３ａ，１４ａ，５３ａ，５４ａが最も光漏れの少ない角度に調節された状態で、第１スラット群ユニット１２又は別の第２スラット群ユニット５２のいずれか一方又は双方がその長手方向に伸長するように構成されたことを特徴とする。
【発明の効果】
【００２５】
本発明の第１の観点の日射遮蔽装置では、第１遮蔽体ユニットのうち隣り合う遮蔽体の長手方向の一部を重合するように構成し、上記隣り合う遮蔽体が重合した状態でその重合長さが変化することにより第１遮蔽体ユニットが長手方向に伸長又は縮小するように構成したので、補助的な帯状遮蔽体を用いずに、光漏れが生じる隙間量の総和を変化させることにより、第１遮蔽体ユニットの隣り合う遮蔽体間の隙間や第１遮蔽体ユニットの外側面からの光漏れを防止できる。また、第１遮蔽体ユニットが伸長又は縮小しても、第１遮蔽体ユニットの隣り合う遮蔽体が長手方向に離間せず重合した状態に保たれるので、隣り合う遮蔽体間から光が漏れるのを防止できる。更に、第１遮蔽体ユニットの両端が取付フレームの両端より長手方向にそれぞれ突出するように構成したので、窓が水平方向に連なる連窓である場合、第１遮蔽体ユニットとは別の第２遮蔽体ユニット等の長手方向に隣接して設けて第１遮蔽体ユニットを長手方向に伸長させ、第１遮蔽体ユニットの一部を別の第２遮蔽体ユニット等の方向に伸長させても、取付フレームが長手方向に伸長しない。この結果、第１遮蔽体ユニットを垂下する取付フレームが、別の第２遮蔽体ユニット等を垂下する取付フレーム等に接触するのを防止できる。
【００２６】
本発明の第２の観点の日射遮蔽装置では、少なくとも２組の取付フレームを間隔をあけて一直線状に延びて設けかつ長手方向に相対的に移動可能に構成し、第１遮蔽体ユニットのうち隣り合う遮蔽体の長手方向の一部を重合するように構成し、更に第１フレームユニットが長手方向に伸長又は縮小することにより上記隣り合う遮蔽体が重合した状態でその重合長さが変化して第１遮蔽体ユニットが長手方向に伸長又は縮小するように構成したので、補助的な帯状遮蔽体を用いずに、光漏れが生じる隙間量の総和を変化させることにより、第１遮蔽体ユニットの隣り合う遮蔽体間の隙間や第１遮蔽体ユニットの外側面からの光漏れを防止できる。また、第１遮蔽体ユニットが第１フレームユニットとともに伸長又は縮小しても、第１遮蔽体ユニットの隣り合う遮蔽体が長手方向に離間せず重合した状態に保たれるので、隣り合う遮蔽体間から光が漏れるのを防止できる。更に、第１遮蔽体ユニットの両端が第１フレームユニットの両端より長手方向にそれぞれ突出するように構成したので、窓が水平方向に連なる連窓である場合、第１遮蔽体ユニットとは別の第２遮蔽体ユニット等の長手方向に隣接して設けて第１フレームユニットを伸長させ、第１遮蔽体ユニットの一部を別の第２遮蔽体ユニット等の一部に重合させても、第１フレームユニットの取付フレームが別の第２フレームユニット等の取付フレームに接触するのを防止できる。
【００２７】
本発明の第３の観点の日射遮蔽装置では、少なくとも２組の遮蔽体の下端に少なくとも２組のボトムレールをそれぞれ設け、各ボトムレールを各遮蔽体より短く形成したので、第１遮蔽体ユニットが長手方向に伸長又は縮小しても、隣り合うボトムレールが互いに接触することはない。この結果、第１遮蔽体ユニットを所定の長さまで確実に縮小できる。また、帯状遮蔽材専用の錘部材のない帯状遮蔽体に１本の昇降コードが挿通されている場合、紐などで帯状遮蔽材を移動方向に引くと、帯状遮蔽材が横移動するときに、遮蔽材の位置によっては帯状遮蔽材が遮蔽材に引っ掛かり、スムーズに移動できない従来の特許文献２の図１３及び図１５に示された遮蔽装置と比較して、本発明では、遮蔽体ユニットの隣り合う遮蔽体の重合長さをスムーズに変化させることができる。
【００２８】
本発明の第４の観点の日射遮蔽装置では、第１遮蔽体ユニットとは別に設けられた別の第２遮蔽体ユニット等を第１遮蔽体ユニットの長手方向に隣接して設けたので、窓が水平方向に連なる連窓である場合、連窓全体を第１遮蔽体ユニットと第２遮蔽体ユニット等により覆うことができる。また、第１遮蔽体ユニット又は別の第２遮蔽体ユニットのいずれか一方又は双方を長手方向に伸長させることにより、第１遮蔽体ユニットと別の第２遮蔽体ユニット等との互いに対向する端面の隙間が狭くなるか或いは互いに対向する端部が重合するように構成したので、上記互いに対向する端面の隙間が狭くなっているときに、第１遮蔽体ユニットと別の第２遮蔽体ユニット等との間の光漏れを減少でき、第１遮蔽体ユニットと別の第２遮蔽体ユニット等の互いに対向する端部が重合したときに、第１遮蔽体ユニットと別の第２遮蔽体ユニット等との間の光漏れを防止できる。
【００２９】
本発明の第５の観点の日射遮蔽装置では、第１ボトムユニットを第１遮蔽体ユニットより短く形成したので、第１遮蔽体ユニットが長手方向に伸長又は縮小しても、第１ボトムユニットが別の第２ボトムユニット等に接触することはない。この結果、第１遮蔽体ユニットを所定の長さまで確実に伸長できるとともに、第１スラット群ユニットが長手方向に伸長しても、第１ボトムユニットと別の第２ボトムユニット等との接触による各スラットの傾斜の発生を阻止でき、重合したスラット群からの光漏れを防止できる。
【００３０】
本発明の第６の観点の日射遮蔽装置では、第１ボトムユニットのうち別の第２ボトムユニット等に対向するボトムレールに別の第２ボトムユニット等に向ってひれ部材を突設したので、第１遮蔽体ユニットが長手方向に伸長すると、第１ボトムユニットから突設されたひれ部材が別の第２ボトムユニット等に接近する。この結果、第１ボトムユニットと別の第２ボトムユニット等の間の隙間がひれ部材によりほぼ閉止されるので、上記隙間からの光漏れを抑制できる。
【００３１】
本発明の第７の観点の日射遮蔽装置では、第１遮蔽体ユニットをこの第１遮蔽体ユニットの前後方向に移動させて、第１遮蔽体ユニット又は別の第２遮蔽体ユニットのいずれか一方又は双方を長手方向に伸長させることにより、第１遮蔽体ユニットと別の第２遮蔽体ユニット等との互いに対向する端面の隙間が狭くなるか或いは互いに対向する端部が重合するように構成したので、第１遮蔽体ユニットと別の第２遮蔽体ユニット等の接触を阻止できる。この結果、第１遮蔽体ユニットや別の第２遮蔽体ユニット等の損傷を防止できる。
【００３２】
本発明の第８の観点の日射遮蔽装置では、第１遮蔽体ユニット又は別の第２遮蔽体ユニットのいずれか一方又は双方は初期状態を除いてそれぞれ昇降を不能にするように構成したので、第１遮蔽体ユニット又は別の第２遮蔽体ユニットのいずれか一方又は双方を長手方向に伸長させることにより、第１遮蔽体ユニットと別の第２遮蔽体ユニットとの互いに対向する端面の隙間が狭くなっているときに、未だ伸長させていない第１遮蔽体ユニット又は別の第２遮蔽体ユニットを単独で昇降できる。この結果、未だ伸長させていない第１遮蔽体ユニット又は別の第２遮蔽体ユニットの操作性を良好に保つことができるとともに、第１遮蔽体ユニットと別の第２遮蔽体ユニットとの間の光漏れを減少できる。更に、第１遮蔽体ユニットと別の第２遮蔽体ユニットの互いに対向する端部が重合したときに、第１遮蔽体ユニット及び別の第２遮蔽体ユニットの双方の昇降が不能になるので、第１遮蔽体ユニットと別の第２遮蔽体ユニットとの接触を阻止でき、第１遮蔽体ユニットや別の第２遮蔽体ユニットの損傷を防止できるとともに、第１遮蔽体ユニットと別の第２遮蔽体ユニットとの間の光漏れを防止できる。
【００３３】
本発明の第９の観点の日射遮蔽装置では、第１遮蔽体ユニット及び別の遮蔽体は初期状態を除いてそれぞれ昇降を不能にするように構成したので、第１遮蔽体ユニットを長手方向に伸長又は縮小させて、第１遮蔽体ユニットが最も縮小した状態以外の状態になると、第１遮蔽体ユニット及び別の遮蔽体を昇降できなくなる。この結果、第１遮蔽体ユニットと別の遮蔽体との接触を阻止できるので、第１遮蔽体ユニットや別の遮蔽体の損傷を防止できるとともに、第１遮蔽体ユニットと別の遮蔽体との間の光漏れを防止できる。
【００３４】
本発明の第１０の観点の日射遮蔽装置では、第１遮蔽体ユニット或いは別の第２遮蔽体ユニット等のいずれか一方又は双方の下端が最下限位置に達したとき又は最下限に近い位置で、第１遮蔽体ユニット又は別の第２遮蔽体ユニットのいずれか一方又は双方がその長手方向に伸長するように構成したので、第１遮蔽体ユニット或いは別の第２遮蔽体ユニット等のいずれか一方又は双方が途中まで下降した状態で第１遮蔽体ユニット又は別の第２遮蔽体ユニットをその長手方向に伸長する操作が禁止される。この結果、第１遮蔽体ユニット或いは別の第２遮蔽体ユニット等のいずれか一方又は双方が途中まで下降した状態で第１遮蔽体ユニット又は別の第２遮蔽体ユニットのいずれか一方又は双方をその長手方向に伸長した後に、再度、長手方向に縮小するという煩わしい操作を回避できる。また、第１遮蔽体ユニットの遮蔽体やボトムレールがこの第１遮蔽体ユニットに隣接する別の第２遮蔽体ユニット等に接触しながら下降するのを阻止できる。更に、別の第２遮蔽体ユニット等の遮蔽体やボトムレールがこの別の第２遮蔽体ユニット等に隣接する第１遮蔽体ユニット等に接触しながら下降するのを阻止できる。
【００３５】
本発明の第１１の観点の日射遮蔽装置では、第１遮蔽体ユニットの少なくとも２組の遮蔽体が第１スラット群ユニットの少なくとも２組のスラット群であり、少なくとも２組のスラット群のうち隣り合うスラット群の各スラットの長手方向の一部が交互に重合するように構成したので、補助的な帯状遮蔽体を用いずに、光漏れが生じる隙間量の総和を変化させることにより、第１スラット群ユニットの隣り合うスラット群間の隙間や第１スラット群ユニットの外側面からの光漏れを防止できる。また、第１スラット群ユニットが伸長又は縮小しても、第１スラット群ユニットの隣り合うスラット群が長手方向に離間せず重合した状態に保たれるので、隣り合うスラット群間から光が漏れるのを防止できる。更に、第１スラット群ユニットを１組の取付フレームから垂下した場合であって、窓が水平方向に連なる連窓である場合、第１スラット群ユニットの両端が取付フレームの両端より長手方向にそれぞれ突出するように構成したので、第１スラット群ユニットとは別の第２スラット群ユニット等の長手方向に隣接して設けて第１スラット群ユニットを長手方向に伸長させ、第１スラット群ユニットの一部を別の第２スラット群ユニット等の一部に重合させても、取付フレームが長手方向に伸長しない。この結果、第１スラット群ユニットを垂下する取付フレームが、別の第２スラット群ユニット等を垂下する取付フレーム等に接触するのを防止できる。一方、第１スラット群ユニットを第１フレームユニットから垂下した場合であって、窓が水平方向に連なる連窓である場合、第１スラット群ユニットの両端が第１フレームユニットの両端より長手方向にそれぞれ突出するように構成したので、第１スラット群ユニットとは別の第２スラット群ユニット等の長手方向に隣接して設けて第１フレームユニットを伸長させ、第１スラット群ユニットの一部を別の第２スラット群ユニット等の一部に重合させても、第１フレームユニットの取付フレームが別の第２フレームユニット等の取付フレームに接触するのを防止できる。
【００３６】
本発明の第１２の観点の日射遮蔽装置では、第１スラット群ユニット又は別の第２スラット群ユニットのいずれか一方又は双方を長手方向に伸長させることにより、第１スラット群ユニットと別の第２スラット群ユニット等との互いに対向する端面の隙間が狭くなるか或いは互いに対向する端部が重合するように構成したので、上記互いに対向する端面の隙間が狭くなっているときに、第１スラット群ユニットと別の第２スラット群ユニット等との間の光漏れを減少でき、第１スラット群ユニットと別の第２スラット群ユニット等の互いに対向する端部が重合したときに、第１スラット群ユニットと別の第２スラット群ユニット等との間の光漏れを防止できる。
【００３７】
本発明の第１３の観点の日射遮蔽装置では、第１スラット群ユニット又は別の第２スラット群ユニットのいずれか一方又は双方は初期状態を除いてそれぞれ昇降又はチルト或いは昇降及びチルトを不能にするように構成したので、第１スラット群ユニットと別の第２スラット群ユニットとの互いに対向する端面の隙間が狭くなっているときに、未だ伸長させていない第１スラット群ユニット又は別の第２スラット群ユニットを単独で昇降又はチルト或いは昇降及びチルトできる。この結果、未だ伸長させていない第１スラット群ユニット又は別の第２スラット群ユニットの操作性を良好に保つことができるとともに、第１スラット群ユニットと別の第２スラット群ユニットとの間の光漏れを減少できる。また、第１スラット群ユニットと別の第２スラット群ユニットの互いに対向する端部が重合したときに、第１スラット群ユニット及び別の第２スラット群ユニットの双方の昇降及びチルトが不能になる。この結果、第１スラット群ユニットと別の第２スラット群ユニットとの接触を阻止でき、第１スラット群ユニットや別の第２スラット群ユニットの損傷を防止できるとともに、第１スラット群ユニットと別の第２スラット群ユニットとの間の光漏れを防止できる。
【００３８】
本発明の第１４の観点の日射遮蔽装置では、第１スラット群ユニット及び別のスラット群は初期状態を除いてそれぞれ昇降又はチルト或いは昇降及びチルトを不能にするように構成したので、第１スラット群ユニットを長手方向に伸長又は縮小させて、第１スラット群ユニットが最も縮小した状態以外の状態になると、第１スラット群ユニット及び別のスラット群を昇降できなくなる。この結果、第１スラット群ユニットと別のスラット群との接触を阻止できるので、第１スラット群ユニットや別のスラット群の損傷を防止できるとともに、第１スラット群ユニットと別のスラット群との間の光漏れを防止できる。
【００３９】
本発明の第１５の観点の日射遮蔽装置では、第１スラット群ユニット或いは別の第２スラット群ユニット等のいずれか一方又は双方の各スラットが最も光漏れの少ない角度に調節された状態で、第１スラット群ユニット又は別の第２スラット群ユニットのいずれか一方又は双方がその長手方向に伸長するように構成することにより、第１スラット群ユニットが伸長した後に第１スラット群ユニットが別の第２スラット群ユニット等に重合した状態において、既に光漏れの最も少ない角度になっているため、第１スラット群ユニットのチルト角の可変によるスラット同士の接触を防止できる。また、別の第２スラット群ユニットが伸長した後に別の第２スラット群ユニットが第１スラット群ユニットに重合した状態において、既に光漏れの最も少ない角度になっているため、別の第２スラット群ユニットのチルト角の可変によるスラット同士の接触を防止できる。
【図面の簡単な説明】
【００４０】
【図１】本発明第１実施形態の横型ブラインドの２組のスラット群が１組の取付フレームに対して長手方向に相対的に移動する前の状態（ａ）と後の状態（ｂ）を示す正面図である。
【図２】２組のスラット群のうちの右側のスラット群をその長手方向に移動可能に保持する右側の伸縮機構により右側のスラット群が長手方向に移動する前の状態（ａ）と後の状態（ｂ）を示す縦断面図である。
【図３】２組のスラット群のうちの左側のスラット群をその長手方向に移動可能に保持する左側の伸縮機構により左側のスラット群が長手方向に移動する前の状態（ａ）と後の状態（ｂ）を示す縦断面図である。
【図４】図２（ａ）のＡ−Ａ線断面図である。
【図５】図３（ａ）のＢ−Ｂ線断面図である。
【図６】その横型ブラインドの第１スラット群ユニットの一部がこの第１スラット群ユニットに隣接して設けられた第２スラット群ユニットの一部に重合する前の状態（ａ）と後の状態（ｂ）を示す正面図である。
【図７】その横型ブラインドの各スラット群のスラットが重合した部分を重合用ラダーコードとともに示す要部斜視図である。
【図８】本発明第２実施形態の横型ブラインドの各スラット群のスラットが重合した部分を重合用ラダーコードとともに示す要部斜視図である。
【図９】本発明第３実施形態の横型ブラインドの各スラット群のスラットが重合した部分を重合用ラダーコード及び重合用昇降コードとともに示す要部斜視図である。
【図１０】本発明第４実施形態の横型ブラインドの２組の取付フレームが２組のスラット群とともに長手方向に相対的に移動する前の状態（ａ）と後の状態（ｂ）を示す正面図である。
【図１１】その横型ブラインドの２組の取付フレームが長手方向に相対的に移動する前の状態（ａ）と後の状態（ｂ）を示す平面図である。
【図１２】その横型ブラインドの第１スラット群ユニットの一部がこの第１スラット群ユニットに隣接して設けられた第２スラット群ユニットの一部に重合した状態を示す平面図（ａ）及び正面図（ｂ）である。
【図１３】本発明第５実施形態の横型ブラインドの２組の取付フレームが２組のスラト群とともに長手方向に相対的に移動する前の状態（ａ）と後の状態（ｂ）を示す正面図である。
【図１４】その横型ブラインドの第１フレームユニットを第１スラット群ユニットとともに窓側に移動する前の状態（ａ）と後の状態（ｂ）を示す電動式の前後移動機構を含む要部右側面図である。
【図１５】その横型ブラインドの第１スラット群ユニットの一部がこの第１スラット群ユニットに隣接して設けられた第２スラット群ユニットの一部に重合する前の状態（ａ）と後の状態（ｂ）を示す正面図である。
【図１６】その第１フレームユニットを長手方向に伸長又は縮小させる電動式の伸縮機構及び前後方向に移動させる電動式の前後移動機構の制御手順を示す前半のフローチャート図である。
【図１７】その第１フレームユニットを長手方向に伸長又は縮小させる電動式の伸縮機構及び前後方向に移動させる電動式の前後移動機構の制御手順を示す後半のフローチャート図である。
【図１８】その電動式の伸縮機構及び電動式の前後移動機構を制御するコントローラの制御入力及び制御出力を示す構成図である。
【発明を実施するための形態】
【００４１】
次に本発明を実施するための形態を図面に基づいて説明する。
【００４２】
＜第１の実施の形態＞
図１に示すように、日射遮蔽装置１０は、この実施の形態では、横型ブラインドである。この横型ブラインド１０は、窓枠１６に取付けられた１組の取付フレーム１１と、この取付フレーム１１からそれぞれ垂下された２組のスラット群１３，１４を有する第１スラット群ユニット１２とを備える。１組の取付フレーム１１は、窓枠１６の上枠部１６ａ下面に水平方向に延びた状態で取付けられる。また、取付フレーム１１は、上面が開口したチャンネル状に形成される（図４及び図５）。更に、この実施の形態の横型ブラインド１０は、プーリ回転による手操作で第１スラット群ユニット１２が長手方向に伸長又は縮小するようになっている。
【００４３】
１組の取付フレーム１１内には、この取付フレーム１１の長手方向に延びる四角柱状の１本の昇降チルト駆動軸１７が設けられるとともに、４個の非重合用ドラムホルダ１８が取付フレーム１１の長手方向に間隔をあけかつ取付フレーム１１の長手方向に移動可能にそれぞれ設けられる（図１）。４個の非重合用ドラムホルダ１８には、４本の非重合用昇降コード２１，２２をそれぞれ繰出し可能に巻取る４個の非重合用巻取ドラム１９と、４組の非重合用ラダーコード２３，２４の前後をそれぞれ上下動させる４個の非重合用傾動ドラム（図示せず）とが取付けられる。そして、これらの非重合用巻取ドラム１９及び非重合用傾動ドラムに上記昇降チルト駆動軸１７が挿通され、非重合用巻取ドラム１９及び非重合用傾動ドラムは昇降チルト駆動軸１７を中心に回動可能であって取付フレーム１１の長手方向に移動可能に構成される。また、上記非重合用巻取ドラム１９は常に昇降チルト駆動軸１７とともに回転可能に構成され、非重合用傾動ドラムは所定の角度だけ昇降チルト駆動軸１７ととともに回転可能に構成される。具体的には、非重合用傾動ドラムに形成されたプーリ溝（図示せず）に円弧板状のラダーリング（図示せず）の内周部が嵌合される。そして、昇降チルト駆動軸１７が前方向又は後方向に９０度未満の角度だけ回転すると、非重合用傾動ドラムが昇降チルト駆動軸１７とともに回転し、ラダーリングの内周部と非重合用傾動ドラムのプーリ溝の摩擦によりラダーリングも非重合用傾動ドラムと一体的に回転するように構成される。一方、昇降チルト駆動軸１７が前方向又は後方向に９０度以上回転すると、ラダーリングが傾動ストッパ（図示せず）に当たって非重合用傾動ドラムの回転が停止して、２組のスラット群１３，１４の各スラット１３ａ，１４ａが９０度以上傾斜しなくなるけれども、非重合用巻取ドラム１９は回転し続けるように構成される。なお、非重合用巻取ドラム１９は、非重合用ドラムホルダ１８の一部であるドラムカバー１８ａにより覆われる（図２及び図３）。
【００４４】
一方、２組のスラット群１３，１４は、１組の取付フレーム１１からそれぞれ垂下され、昇降可能に構成される（図１）。具体的には、２組のスラット群１３，１４は水平方向に延びかつ鉛直方向に所定の間隔をあけて設けられた複数のスラット１３ａ，１４ａによりそれぞれ構成され、隣り合うスラット群１３，１４の長手方向の一部が重合するように構成される。また、２組のスラット群１３，１４の下端には２組のボトムレール２７，２８がそれぞれ設けられる。具体的には、２組のボトムレール２７，２８は２組のスラット群１３，１４の複数のスラット１３ａ，１４ａのうち最下段のスラット１３ａ，１４ａの直下に位置するように水平方向に延びて設けられる。上記２組のボトムレール２７，２８により第１ボトムユニット２６が構成される。
【００４５】
２組のスラット群１３，１４のうち右側のスラット群１３は、上記４組の非重合用ラダーコード２３，２４のうち右側の２組の非重合用ラダーコード２３と、２組の重合用ラダーコード３１，３２とにより吊下げられる（図１、図４及び図７）。また、２組のスラット群１３，１４のうち左側のスラット群１４は、上記４組の非重合用ラダーコード２３，２４のうち左側の２組の非重合用ラダーコード２４と、２組の重合用ラダーコード３１，３２とにより吊下げられる（図１、図５及び図７）。ここで、隣り合う２組のスラット群１３，１４の各スラット１３ａ，１４ａの一部が交互に重合する部分を重合部３３とするとき、上記非重合用ラダーコード２３，２４は２組のスラット群１３，１４の重合部３３でない部分を吊下げ、上記重合用ラダーコード３１，３２は２組のスラット群１３，１４の重合部３３を吊下げるように構成される。
【００４６】
右側の非重合用ラダーコード２３は、右側のスラット群１３の複数のスラット１３ａの前縁及び後縁に沿って鉛直方向に延びる一対の非重合用縦紐２３ａ，２３ａと、これらの非重合用縦紐２３ａ，２３ａに両端が固着され各スラット１３ａをその上面及び下面から挟んで所定の位置に保持する一対の非重合用横紐２３ｂ，２３ｂとからなる（図１及び図４）。左側の非重合用ラダーコード２４は、左側のスラット群１４の複数のスラット１４ａの前縁及び後縁に沿って鉛直方向に延びる一対の非重合用縦紐２４ａ，２４ａと、これらの非重合用縦紐２４ａ，２４ａに両端が固着され各スラット１４ａをその上面及び下面から挟んで所定の位置に保持する一対の非重合用横紐２４ｂ，２４ｂとからなる（図１及び図５）。また、右側の一対の非重合用縦紐２３ａ，２３ａの下端は右側のボトムレール２７にそれぞれ取付けられ、上端は４個の非重合用傾動ドラムのうち右側の２個の非重合用傾動ドラムの前後にそれぞれ取付けられる。更に、左側の一対の非重合用縦紐２４ａ，２４ａの下端は左側のボトムレール２８にそれぞれ取付けられ、上端は４個の非重合用傾動ドラムのうち左側の２個の非重合用傾動ドラムの前後にそれぞれ取付けられる。
【００４７】
一方、隣り合う２組のスラット群１３，１４が重合した状態でその重合長さが変化することにより、第１スラット群ユニット１２が長手方向に伸長又は縮小するように構成される（図１）。また、２組のボトムレール２７，２８の互いに対向する端部は、第１スラット群ユニット１２が長手方向に縮小したときに、２組のボトムレール２７，２８が互いに接触しないように２組のスラット群１３，１４の各スラット１３ａ，１４ａより短く形成される。更に、上記２組の重合用ラダーコード３１，３２は、隣り合う２組のスラット群１３，１４の重合状態を保つためにこれらのスラット群１３，１４の重合部３３に設けられる（図１及び図７）。２組の重合用ラダーコード３１，３２のうち重合部３３の左部に位置する重合用ラダーコード３１は、各スラット群１３，１４の複数のスラット１３ａ，１４ａの前縁及び後縁に沿って鉛直方向に延びる一対の重合用縦紐３１ａ，３１ａと、これら一対の重合用縦紐３１ａ，３１ａに両端が固着され複数のスラット１３ａ，１４ａを受け所定の位置に保持する複数の重合用横紐３１ｂとからなる（図１及び図７）。また、２組の重合用ラダーコード３１，３２のうち重合部３３の右部に位置する重合用ラダーコード３２は、各スラット群１３，１４の複数のスラット１３ａ，１４ａの前縁及び後縁に沿って鉛直方向に延びる一対の重合用縦紐３２ａ，３２ａと、これら一対の重合用縦紐３２ａ，３２ａに両端が固着され複数のスラット１３ａ，１４ａを受け所定の間隔をあけて保持する複数の重合用横紐３２ｂとからなる。
【００４８】
そして、右側の重合用ラダーコード３２の一対の重合用縦紐３２ａ，３２ａの下端は右側のボトムレール２７に取付けられ（図１及び図７）、上端は昇降チルト駆動軸１７に嵌入された右側の重合用傾動ドラム（図示せず）に取付けられる。また、左側の重合用ラダーコード３１の一対の重合用縦紐３１ａ，３１ａの下端は左側のボトムレール２８に取付けられ、上端は昇降チルト駆動軸１７に嵌入された左側の重合用傾動ドラム（図示せず）に取付けられる。これら左右の重合用傾動ドラムは、取付フレーム１１内に設けられた重合用ドラムホルダ（図示せず）にそれぞれ回動可能に取付フレーム１１に取付けられる。そして、昇降チルト駆動軸１７が前方向又は後方向に９０度未満の角度だけ回転すると、重合用傾動ドラムが昇降チルト駆動軸１７とともに回転して、重合用ラダーコード３１，３２も重合用傾動ドラムと一体的に回転するように構成される。一方、昇降チルト駆動軸１７が前方向又は後方向に９０度以上回転すると、重合用傾動ドラムの回転が停止して、２組のスラット群１３，１４の各スラットが９０度以上傾斜しなくなるように構成される。
【００４９】
一方、上記４本の非重合用昇降コード２１，２２のうち右側の２本の非重合用昇降コード２１により右側のスラット群１３が昇降し、左側の２本の非重合用昇降コード２２により左側のスラット群１４が昇降するように構成される（図１）。これらの非重合用昇降コード２１，２２は、２組のスラット群１３，１４の重合部３３でない部分にそれぞれ設けられる。また、右側のボトムレール２７には右側の２本の非重合用昇降コード２１の一端がそれぞれ取付けられ、これらの非重合用昇降コード２１の他端は右側のスラット群１３の各スラット１３ａに遊挿された後に右側の２個の非重合用巻取ドラム１９にそれぞれ取付けられる。更に、左側のボトムレール２８には左側の２本の非重合用昇降コード２２の一端がそれぞれ取付けられ、これらの非重合用昇降コード２２の他端は左側のスラット群１４の各スラット１４ａに遊挿された後に左側の２個の非重合用巻取ドラム１９に取付けられる。なお、図１中の符号３４は、１組の取付フレーム１１の前面右部に取付けられた昇降チルト用操作部材である。この昇降チルト操作部材３４は、２組のスラット群１３，１４の複数のスラット１３ａ，１４ａの昇降又はチルトを同時に行うために、図示しないプーリ及び歯車を介して昇降チルト駆動軸１７に接続される。そして、昇降チルト用操作部材３４を操作することにより、１本の昇降チルト駆動軸１７が回動して、非重合用昇降コード２１，２２が非重合用巻取ドラム１９に巻取られ又は非重合用巻取ドラム１９から繰出されることにより、２組のスラット群１３，１４を同時に昇降できるとともに、非重合用ラダーコード２３，２４及び重合用ラダーコード３１，３２の前後が上下動して、２組のスラット群１３，１４の複数のスラット１３ａ，１４ａが前側又は後側に傾斜することにより、これらのスラット１３ａ，１４ａのチルト角を同時に変更できるようになっている。
【００５０】
一方、１組の取付フレーム１１には、隣り合う２組のスラット群１３，１４が重合した状態でその重合長さを変化させるための伸縮機構３５，３６が設けられる（図１）。これらの伸縮機構３５，３６は、図２〜図５に詳しく示すように、取付フレーム１１内にその長手方向に延びて設けられた伸縮駆動軸３７と、この伸縮駆動軸３７のうち４個の非重合用ドラムホルダ１８に対向する位置にそれぞれ嵌着された４個の雄ねじ部材３８，３９と、伸縮駆動軸３７のうち２個の重合用ドラムホルダに対向する位置にそれぞれ嵌着された２個の雄ねじ部材（図示せず）と、４個の非重合用ドラムホルダ１８に設けられ上記４個の雄ねじ部材３８，３９に螺合可能な４個の雌ねじ部４１，４２と、２個の重合用ドラムホルダに設けられ上記２個の雄ねじ部材に螺合する２個の雌ねじ部（図示せず）と、伸縮駆動軸３７に図示しない歯車及びプーリを介して接続された伸縮用操作部材４３とを有する。この伸縮用操作部材４３を操作することにより、プーリが回転して伸縮用駆動軸３７が回転するようになっている。上記６個の雄ねじ部材３８，３９のうち右側の３個の雄ねじ部材３８は右ねじであり、左側の３個の雄ねじ部材３９は左ねじである。また、上記６個の雌ねじ部４１，４２のうち右側の３個の雌ねじ部４１は右ねじであり、左側の３個の雌ねじ部４２は左ねじである。上記伸縮用操作部材４３を操作することにより、伸縮駆動軸３７及び雄ねじ部材３８，３９が回動し、雌ねじ部４１，４２が伸縮駆動軸３７の軸方向に移動して、隣り合う２組のスラット群１３，１４が重合した状態でその重合長さが変化するように構成される。
【００５１】
なお、図２〜図５中の符号４４は、取付フレーム１１と非重合用ドラムホルダ１８との間に介装されかつ取付フレーム１１の内面に固定された非重合用スペーサである。また、図２〜図５中の符号４６は、非重合用スペーサ４４と非重合用ドラムホルダ１８との間に設けられた複数の非重合用ボールであり、これらの非重合用ボール４６により非重合用ドラムホルダ１８が取付フレーム１１の長手方向にスムーズに移動できるようになっている。更に、取付フレーム１１と重合用ドラムホルダ１８との間にも上記非重合用スペーサ４４及び非重合用ボール４６と同様の機能を有する重合用スペーサ（図示せず）及び重合用ボール（図示せず）が設けられる。
【００５２】
一方、第１スラット群ユニット１２の両端は、取付フレーム１１の両端より長手方向にそれぞれ突出するように構成される（図１及び図６）。即ち、第１スラット群ユニット１２の両端は、この第１スラット群ユニット１２の長手方向への伸長又は縮小に拘らず、取付フレーム１１の両端より長手方向にそれぞれ突出するように構成される。また、第１ボトムユニット２６は第１スラット群ユニット１２より短く形成される。換言すると、第１スラット群ユニット１２の両端は、この第１スラット群ユニット１２の長手方向への伸長又は縮小に拘らず、第１ボトムユニット２６の両端より長手方向にそれぞれ突出するように構成される。また、取付フレーム１１から垂下された第１スラット群ユニット１２とは別の第２スラット群ユニット５２が、別の取付フレーム５１からそれぞれ垂下された状態で第１スラット群ユニット１２の長手方向に隣接して設けられる（図７）。別の取付フレーム５１は取付フレーム１１と同一に構成され、別の第２スラット群ユニット５２は第１スラット群ユニット１２と同一に構成される。即ち、別の第２スラット群ユニット５２は２組のスラット群５３，５４を有する。更に、第１ボトムユニット２６の長手方向に別の第２ボトムユニット５６が隣接して設けられる。この別の第２ボトムユニット５６は別の第２スラット群ユニット５２の下端にそれぞれ取付けられる。そして、第１スラット群ユニット１２を長手方向に伸長させることにより、第１スラット群ユニット１２と別の第２スラット群ユニット５２との互いに対向する端面の隙間が狭くなり、別の第２スラット群ユニット５２を長手方向に伸長させることにより、第１スラット群ユニット１２と別の第２スラット群ユニット５２との互いに対向する端部が重合するように構成される。
【００５３】
このように構成された横型ブラインド１０の使用方法及び動作を説明する。長方形状の窓枠１６内の窓から差し込む光を遮蔽する場合、先ず、横型ブラインド１０の昇降チルト用操作部材３４を操作して、２組のスラット群１３，１４の各スラット１３ａ，１４ａを同時に起立させた後に、２組のスラット群１３，１４の各スラット１３ａ，１４ａを同時に下降させ、２組のボトムレール２７，２８の下面を窓枠１６の下枠部（図示せず）上面に当接させる。次に、伸縮用操作部材４３を操作すると、プーリが回転して伸縮駆動軸３７が図２（ｂ）の実線矢印の方向に回転し、この伸縮駆動軸３７の嵌着された右側の３個の雄ねじ部材３８が伸縮駆動軸３７と同一方向（図２（ｂ）の実線矢印の方向）に回転して、右側の３個の雌ねじ部４１が図２（ｂ）の破線矢印の方向、即ち右方向に移動する。同時に、伸縮駆動軸３７の嵌着された左側の３個の雄ねじ部材３９が伸縮駆動軸３７と同一方向（図３（ｂ）の実線矢印の方向）に回転して、左側の３個の雌ねじ部４２が図３（ｂ）の破線矢印の方向、即ち左方向に移動する。これにより、右側の２個の非重合用ドラムホルダ１８に取付けられた非重合用巻取ドラム１９及び非重合用傾動ドラムと、右側の１個の重合用ドラムホルダに取付けられた重合用傾動ドラムとが右方向に移動するので、右側のスラット群１３及び右側のボトムレール２７が右方向に移動して窓枠１６の右枠部（図示せず）内面に接近する。また、左側の２個の非重合用ドラムホルダ１８に取付けられた非重合用巻取ドラム１９及び非重合用傾動ドラムと、左側の１個の重合用ドラムホルダに取付けられた重合用傾動ドラムとが左方向に移動するので、左側のスラット群１４及び左側のボトムレール２８が左方向に移動して窓枠１６の左枠部（図示せず）内面に接近する。この結果、隣り合う２組のスラット群１３，１４の重合長さが小さくなって、第１スラット群ユニット１２が長手方向に伸長するので、光漏れが生じる隙間量の総和が変化して、第１スラット群ユニット１２により長方形状の窓枠１６内のほぼ全てが覆われる。従って、第１スラット群ユニット１２の隣り合うスラット群１３，１４間の隙間や第１スラット群ユニット１２の外側面からの光漏れを防止できる。
【００５４】
一方、第１スラット群ユニット１２を伸長又は縮小しても、隣り合う２組のスラット群１３，１４が長手方向に離間せず重合した状態に保たれるので、隣り合うスラット群１３，１４間から光が漏れるのを防止できる。また、第１ボトムユニット２６の各ボトムレール２７，２８の互いに対向する端部を各スラット群１３，１４より短く形成したので、第１スラット群ユニット１２を長手方向に縮小しても、各ボトムレール２７，２８が互いに接触することはない。この結果、第１スラット群ユニット１２の所定の長さまで確実に縮小できるとともに、ボトムレール２７，２８同士の接触によるスラット１３ａとスラット１４ａの奥行方向の隙間の発生を阻止でき、重合したスラット群１３，１４からの光漏れを抑制又は防止できる。また、第１スラット群ユニット１２の各スラット群１３，１４を取付フレーム１１から２組の非重合用ラダーコード２３，２４及び１組の重合用ラダーコード３１，３２により吊下げたので、各スラット群１３，１４を安定した状態で吊下げることができるとともに、隣り合う２組のスラット群１３，１４の重合長さをスムーズに変化させることができる。また、各スラット群１３，１４において、１組の重合用ラダーコード３１，３２を、隣り合うスラット群１３，１４の重合部３３に設けたので、第１スラット群ユニット１２が長手方向に伸長又は縮小しても、第１スラット群ユニット１２の隣り合うスラット群１３，１４の一部の重合状態が解除され難くなる。この結果、第１スラット群ユニット１２の隣り合うスラット群１３，１４の一部が規則正しく重合した状態に保たれる。更に、第１スラット群ユニット１２の各スラット群１３，１４を２本の非重合用昇降コード２１，２２により昇降させたので、各スラット群１３，１４を安定した状態で昇降できるとともに、隣り合うスラット群１３，１４の重合長さをスムーズに変化させることができる。
【００５５】
一方、第１スラット群ユニット１２の両端が取付フレーム１１の両端より長手方向にそれぞれ突出するように構成したので、窓が水平方向に連なる連窓である場合、第１スラット群ユニット１２とは別の第２スラット群ユニット５２の長手方向に隣接して設けて第１スラット群ユニット１２を長手方向に伸長させ、第１スラット群ユニット１２の長手方向の一部を別の第２スラット群ユニット５２の長手方向の一部に重合させても、取付フレーム１１が長手方向に伸長しない。この結果、第１スラット群ユニット１２を垂下する取付フレーム１１が、別の第２スラット群ユニット５２を垂下する取付フレーム１１に接触するのを防止できる。また、取付フレーム１１から垂下された第１スラット群ユニット１２とは別の第２スラット群ユニット５２を、別の取付フレーム５１からそれぞれ垂下した状態で第１スラット群ユニット１２の長手方向に隣接して設けたので、窓が水平方向に連なる連窓である場合、連窓全体を第１スラット群ユニット１２と第２スラット群ユニット５２により覆うことができる。
【００５６】
また、第１スラット群ユニット１２を長手方向に伸長させると、第１スラット群ユニット１２と別の第２スラット群ユニット５２との互いに対向する端面の隙間が狭くなるので、この状態で未だ伸長させていない別の第２スラット群ユニット５２を昇降又はチルト或いは昇降及びチルトできる。この結果、上記隙間からの光漏れを減少できるとともに、別の第２スラット群ユニット５２の操作性を良好に保つことができる。そして、別の第２スラット群ユニット５２を長手方向に伸長させると、第１スラット群ユニット１２と別の第２スラット群ユニット５２との互いに対向する端部が重合するので、第１スラット群ユニット１２と別の第２スラット群ユニット５２との間からの光漏れを防止できる。更に、第１ボトムユニット２６を第１スラット群ユニット１２より短く形成したので、第１スラット群ユニット１２が長手方向に伸長又は縮小しても、第１ボトムユニット２６が別の第２ボトムユニット５６に接触することはない。この結果、第１スラット群ユニット１２を所定の長さまで確実に伸長できるとともに、第１ボトムユニット２６と第２ボトムユニットレール５６との接触によるスラット１４ａとスラット５３ａの奥行方向の隙間の発生を阻止でき、重合したスラット群１４，５３からの光漏れを抑制又は防止できる。
【００５７】
＜第２の実施の形態＞
図８は本発明の第２の実施の形態を示す。図８において図７と同一符号は同一部品を示す。この実施の形態では、２組の重合用ラダーコード６１，６２のうち左側の重合用ラダーコード６１が、右側のスラット群１３の複数のスラット１３ａの前縁及び後縁に沿って鉛直方向に延びる一対の重合用縦紐６１ａ，６１ａと、これらの重合用縦紐６１ａ，６１ａに両端が固着されスラット１３ａ及びスラット１３ｂをその上面及び下面から挟んで所定の位置に保持する一対の重合用横紐６１ｂとを有する。また、２組の重合用ラダーコード６１，６２のうち右側の重合用ラダーコード６２は、左側のスラット群１４の複数のスラット１４ａの前縁及び後縁に沿って鉛直方向に延びる一対の重合用縦紐６２ａ，６２ａと、これらの重合用縦紐６２ａ，６２ａに両端が固着され各スラット１４ａをその上面及び下面から挟んで所定の位置に保持する一対の重合用横紐６２ｂとを有する。上記以外は、第１の実施の形態と同一に構成される。
【００５８】
このように構成された横型ブラインド６０では、左側の重合用ラダーコード６１の重合用横紐６１ｂが右側のスラット群１３の各スラット１３ａと左側のスラット群１４の各スラット１４ａを挟んだ状態で保持し、右側の重合用ラダーコード６２の重合用横紐６２ｂが左側のスラット群１４の各スラット１４ａを挟んだ状態で保持するので、各スラット群１３，１４の姿勢の乱れを防止でき、またスラット群１３，１４の各スラット１３ａ，１４ａの端部を交互に規則正しく重合させた状態に保つことができる。上記以外の使用方法及び動作並びに作用・効果は、第１の形態と略同様であるので、繰返しの説明を省略する。
【００５９】
＜第３の実施の形態＞
図９は本発明の第３の実施の形態を示す。図９において図７と同一符号は同一部品を示す。この実施の形態では、各スラット群１３，１４が、これらのスラット群１３，１４の重合部３３でない部分にそれぞれ設けられた２本の非重合用昇降コードと、上記重合部３３に設けられた１本の重合用昇降コード８１，８２とによりそれぞれ昇降可能に構成される。即ち、重合部３３が２本の重合用昇降コード８１，８２によりそれぞれ昇降可能に構成される。２組の重合用ラダーコード６１，６２のうち左側の重合用ラダーコード６１の重合用横紐６１ｂ又は重合用縦紐６１ａの前縁にリング部材８３が固着され、右側の重合用ラダーコード６２の重合用横紐６２ｂ又は重合用縦紐６２ａの前縁にリング部材８４が固着される。そして、スラット群を昇降する重合用昇降コード８１は、左側のリング部材８３に遊挿され、この重合用昇降コード８１の一端は左側のボトムレール２８に取付けられ、他端は取付フレーム内の重合用昇降ドラム（図示せず）に取付けられる。また、スラット群を昇降する重合用昇降コード８２は、右側のリング部材８４に遊挿され、この重合用昇降コード８２の一端は右側のボトムレール２７に取付けられ、他端は取付フレーム内の重合用昇降ドラム（図示せず）に取付けられる。これらの重合用昇降ドラム８１，８２は、第１の実施の形態の非重合用昇降ドラムと同様に形成される。上記以外は第２の実施の形態と同一に構成される。
【００６０】
このように構成された横型ブラインド８０では、各スラット群１３，１４において、これらのスラット群１３，１４の重合部３３に、スラット群を昇降するための左側の１本の重合用昇降コード８１と、右側の１本の重合用昇降コード８２とを設けたので、昇降コード２１，２２への負担が軽減される。上記以外の使用方法及び動作並びに作用・効果は、第２の形態と略同様であるので、繰返しの説明を省略する。
【００６１】
＜第４の実施の形態＞
図１０〜図１２は本発明の第４の実施の形態を示す。図１０〜図１２において図１及び図６と同一符号は同一部品を示す。この実施の形態では、横型ブラインド１００は、２組の取付フレーム１０２，１０３を有する第１フレームユニット１０１と、これら２組の取付フレーム１０２，１０３からそれぞれ垂下された２組のスラット群１３，１４を有する第１スラット群ユニット１２とを備える。２組の第１フレームユニット１０１は、窓枠１６の上枠部１６ａ下面に水平方向に延びた状態でそれぞれ取付けられる。具体的には、２組の取付フレーム１０２，１０３は、間隔をあけて一直線状に延びて設けられる。また、２組の取付フレーム１０２，１０３はスライド連結機構１０４により長手方向に相対的に移動可能に連結される。更に、各取付フレーム１０２，１０３はチャンネル状に形成される。そして、水平面内であって取付フレーム１０２，１０３の長手方向に直交する方向を取付フレーム１０２，１０３の前後方向とするとき、２組の取付フレーム１０２，１０３の前面同士が前側スライドレール１０６により連結され、２組の取付フレーム１０２，１０３の後面同士が後側スライドレール１０７により連結される。なお、この実施の形態の横型ブラインド１００は、後述する左右の操作棒１１８，１１９の左右への手操作により、第１スラット群ユニット１２が長手方向に伸長又は縮小するようになっている。
【００６２】
前側スライドレール１０６は、２組の取付フレーム１０２，１０３の前面にそれぞれ取付けられ両側外面に複数の鋼球（図示せず）が転動可能な一対の第１溝（図示せず）が形成された一対の前側可動片１０６ａ，１０６ｂと、これらの前側可動片１０６ａ，１０６ｂに被せるように設けられ両側内面に複数の鋼球が転動可能な一対の第２凹溝（図示せず）が形成されたチャンネル状の単一の前側連結片１０６ｃとを有する。一対の前側可動片１０６ａ，１０６ｂに複数の鋼球を介して前側連結片１０６ｃを取付けることにより、一対の前側可動片１０６ａ，１０６ｂが前側連結片１０６ｃに対して相対的に移動可能に構成される。また、後側スライドレール１０７は、２組の取付フレーム１０２，１０３の後面にそれぞれ取付けられ両側外面に複数の鋼球（図示せず）が転動可能な一対の第１溝（図示せず）が形成された一対の後側可動片１０７ａ，１０７ｂと、これらの後側可動片１０７ａ，１０７ｂに被せるように設けられ両側内面に複数の鋼球が転動可能な一対の第２凹溝（図示せず）が形成されたチャンネル状の単一の後側連結片１０７ｃとを有する。一対の後側可動片１０７ａ，１０７ｂに複数の鋼球を介して後側連結片１０７ｃを取付けることにより、一対の後側可動片１０７ａ，１０７ｂが後側連結片１０７ｃに対して相対的に移動可能に構成される。上記前側スライドレール１０６及び後側スライドレール１０７によりスライド連結機構１０４が構成される。
【００６３】
一方、上記スライド連結機構１０４には、第１スラット群ユニット１２の長手方向への伸長量及び縮小量を規制するストッパ（図示せず）が設けられる。具体的には、ストッパは、前側スライドレール１０６の一対の前側可動片１０６ａ，１０６ｂ及び単一の前側連結片１０６ｃの第１及び第２凹溝内にそれぞれ突設された第１及び第２前側突起（図示せず）と、後側スライドレール１０７の一対の後側可動片１０７ａ，１０７ｂ及び単一の後側連結片１０７ｃの第１及び第２凹溝内にそれぞれ突設された第１及び第２後側突起（図示せず）とを有する。上記第１及び第２前側突起により一対の前側可動片１０６ａ，１０６ｂの前側連結片１０６ｃに対する相対的な移動量が規制され、上記第１及び第２後側突起により一対の後側可動片１０７ａ，１０７ｂの後側連結片１０７ｃに対する相対的な移動量が規制されることにより、２組の取付フレーム１０２，１０３の長手方向の伸長量及び縮小量が規制されて、第１スラット群ユニット１２の伸長量及び縮小量が規制されるようになっている。
【００６４】
２組の取付フレーム１０２，１０３は、窓枠１６の上枠部１６ａ下面に複数の上側スライドレール１０８によりそれぞれ長手方向に移動可能に取付けられる。上側スライドレール１０８は、上枠部１６ａに取付けられ両側外面に複数の鋼球（図示せず）が転動可能な一対の第１凹溝（図示せず）が形成された上側固定片１０８ａと、この上側固定片１０８ａに被せるように設けられ両側内面に複数の鋼球（図示せず）が転動可能な一対の第２凹溝（図示せず）が形成されたチャンネル状の上側可動片１０８ｂとを有する。上側固定片１０８ａに複数の鋼球を介して上側可動片１０８ｂを取付けることにより、上側可動片１０８ｂが上側固定片１０８ａに対して相対的に移動可能に構成される。
【００６５】
右側の取付フレーム１０２の前面右部には、２組のスラット群１３，１４の複数のスラット１３ａ，１４ａの昇降又はチルトを同時に行うための昇降チルト用操作部材３４及びノブ４３が取付けられる。また、一端が右側のボトムレール２７に取付けられた右側の２本の非重合用昇降コード２１，２１の他端は、右側のスラット群１３の複数のスラット１３ａに挿通され、右側の取付フレーム１０２内及び昇降チルト用操作部材３４内に挿通されて、昇降チルト用操作部材３４下端のノブ４３に取付けられる。更に、一端が左側のボトムレール２８にそれぞれ取付けられた左側の２本の非重合用昇降コード２４の他端は、左側のスラット群１４の複数のスラット１４ａに挿通され、左右の取付フレーム１０２，１０３内及び昇降チルト用操作部材３４内に挿通されて、昇降チルト用操作部材３４下端のノブ４３に取付けられる。そして、ノブ４３及び昇降チルト用操作部材３４を操作することにより、右側のスラット群１３及び右側のボトムレール２７と、左側のスラット群１４及び左側のボトムレール２８とを同時に昇降できるようになっている。
【００６６】
一方、２組の取付フレーム１０２，１０３内には、２本のチルト軸１１２，１１３が同一軸線上にそれぞれ挿通される（図１１）。そして、これらのチルト軸１１２，１１３の互いに対向する端部には、六角柱状の雄軸１１４及び六角筒状の雌軸１１６がそれぞれ設けられる。雄軸１１４は雌軸１１６に対して長手方向に相対的に移動可能であって円周方向に一体的に回転可能に挿入される。また、２本のチルト軸１１２，１１３のうち右側のチルト軸１１２の端部はユニバーサルジョイント（図示せず）を介して昇降チルト用操作部材３４及びノブ４３に接続される。更に、各チルト軸１１２，１１３には２個の傾動ドラム（図示せず）がそれぞれ嵌着され、これらの傾動ドラムには非重合用ラダーコード２３，２４の一対の非重合用縦紐２３ａ，２４ａがそれぞれ取付けられる。そして、昇降チルト用操作部材３４を回動操作することにより、２本のチルト軸１１２，１１３が同時に回動して、２組のスラット群１３，１４のチルト角を同時に変更できるようになっている。
【００６７】
隣り合う２組のスラット群１３，１４の各スラット１３ａ，１４ａの一部は、第１の実施の形態と同様に、交互に重合するように構成される。そして、第１フレームユニット１０１が長手方向に伸長又は縮小することにより、上記隣り合うスラット群１３，１４が重合した状態でその重合長さが変化して、第１スラット群ユニット１２が長手方向に伸長又は縮小するように構成される。なお、図１０中の符号１１８は、右側の取付フレーム１０２に基端が取付けられ右側の取付フレーム１０２を長手方向に移動させるために把持する操作棒であり、符号１１９は、左側の取付フレーム１０３に基端が取付けられ左側の取付フレーム１０３を長手方向に移動させるために把持する操作棒である。
【００６８】
一方、第１スラット群ユニット１２の両端は、第１フレームユニット１０１の両端より長手方向にそれぞれ突出するように構成される（図１０〜図１２）。即ち、第１スラット群ユニット１２の両端は、この第１スラット群ユニット１２の長手方向への伸長又は縮小に拘らず、第１フレームユニット１０１の両端より長手方向にそれぞれ突出するように構成される。また、第１フレームユニット１０１から垂下された第１スラット群ユニット１２とは別の第２スラット群ユニット５２が、別の第２フレームユニット１２１の２組の取付フレーム１２２，１２３からそれぞれ垂下された状態で第１スラット群ユニット１２の長手方向に隣接して設けられる（図１２）。別の第２フレームユニット１２１は第１フレームユニット１０１と同一に構成される。上記以外は第１の実施の形態と同一に構成される。
【００６９】
このように構成された横型ブラインド１００の使用方法及び動作を説明する。長方形状の窓枠１６内の窓から差し込む光を遮蔽する場合、先ず、横型ブラインド１００の昇降チルト用操作部材３４及びノブ４３を操作して、２組のスラット群１３，１４の各スラット１３ａ，１４ａを同時に下降させ、２組のボトムレール２７，２８の下面を窓枠１６の下枠部（図示せず）上面に当接させる。次に、昇降チルト用操作部材３４を回動操作して、２組のスラット群１３，１４の各スラット１３ａ，１４ａを同時に起立させる。更に、右側の操作棒１１８を右方向に操作して右側の取付フレーム１０２を窓枠１６の右枠部（図示せず）に接近させ、左側の操作棒１１９を左方向に操作して左側の取付フレーム１０３を窓枠１６の左枠部（図示せず）内面に接近させる。この結果、第１フレームユニット１０１が長手方向に伸長することにより、隣り合うスラット群１３，１４の重合長さが小さくなって、第１スラット群ユニット１２が長手方向に伸長するので、光漏れが生じる隙間量の総和が変化して、第１スラット群ユニット１２により長方形状の窓枠１６内のほぼ全てが覆われる。従って、第１の実施の形態と同様に、第１スラット群ユニット１２の隣り合うスラット群１３，１４間の隙間や第１スラット群ユニット１２の外側面からの光漏れを防止できる。
【００７０】
一方、第１フレームユニット１０１を伸長又は縮小しても、第１スラット群ユニット１２の隣り合うスラット群１３，１４が長手方向に離間せず重合した状態に保たれるので、隣り合うスラット群１３，１４間から光が漏れるのを防止できる。また、スライド連結機構１０４に、２組のスラット群１３，１４の長手方向への伸長量及び縮小量を規制するストッパを設けたので、第１スラット群ユニット１２が長手方向に伸長しても、隣り合う２組のスラット群１３，１４の一部の重合状態が解除される長さまで第１フレームユニット１０１が伸長しない。この結果、隣り合う２組のスラット群１３，１４の一部が重合した状態に確実に保つことができる。また、第１スラット群ユニット１２の両端が第１フレームユニット１０１の両端より長手方向にそれぞれ突出するように構成したので、窓が水平方向に連なる連窓である場合、第１スラット群ユニット１２とは別の第２スラット群ユニット５２の長手方向に隣接して設け、第１スラット群ユニット１２を長手方向に伸長させて、第１スラット群ユニット１２を別の第２スラット群ユニット５２に近付けた後に、別の第２スラット群ユニット５２を長手方向に伸長させて、第１スラット群ユニット１２の一部を別の第２スラット群ユニット５２の一部に重合させると、第１フレームユニット１０１及び別の第２フレームユニット１２１も長手方向に伸長するけれども、第１フレームユニット１０１が第１スラット群ユニット１２より短く、別の第２フレームユニット１２１が別の第２スラット群ユニット５２より短いため、第１スラット群ユニット１２を垂下する第１フレームユニット１０１が、別の第２スラット群ユニット５２を垂下する第２フレームユニット１２１に接触するのを防止できる。更に、第１フレームユニット１０１から垂下された第１スラット群ユニット１２とは別の第２スラット群ユニット５２を、別の第２フレームユニット１２１からそれぞれ垂下した状態で第１スラット群ユニット１２の長手方向に隣接して設けたので、窓が水平方向に連なる連窓である場合、連窓全体を第１スラット群ユニット１２と第２スラット群ユニット５２により覆うことができる。上記以外の使用方法及び動作並びに作用・効果は、第１の形態と略同様であるので、繰返しの説明を省略する。
【００７１】
＜第５の実施の形態＞
図１３〜図１８は本発明の第５の実施の形態を示す。図１３〜図１５において図１０及び図１２と同一符号は同一部品を示す。この実施の形態では、水平面内であって第１スラット群ユニット１２の長手方向に直交する方向を第１スラット群ユニット１２の前後方向とするとき、第１スラット群ユニット１２をこの第１スラット群ユニット１２の前後方向に移動させて、第１スラット群ユニット１２がこの第１スラット群ユニット１２に隣接する別の第２スラット群ユニット５２の方向に伸長することにより、第１スラット群ユニット１２の一部が別の第２スラット群ユニット５２の長手方向の一部に重合するように構成される（図１３及び図１５）。第１スラット群ユニット１２をその前後方向に移動させる機構は電動式の前後移動機構１４６であり、第１スラット群ユニット１２を別の第２スラット群ユニット５２の方向に伸長させる機構は電動式の伸縮機構１４７である。この実施の形態の横型ブラインド１４０は、第１スラット群ユニット１２の２組のスラット群１３，１４の各スラット１３ａ，１４ａが、図示しない電動式の昇降機構及びチルト機構により同時に昇降及びチルトするとともに、第１スラット群ユニット１２の２組のスラット群１３，１４が、電動式の前後移動機構１４６により同時に前後方向に移動し、電動式の伸縮機構１４７により同時に長手方向に伸長又は縮小する図１５の右側の第１スラット群ユニット１２等と、この右側の第１スラット群ユニット１２等と同一に構成された別の第２スラット群ユニット５２とを含む。以下、第１スラット群ユニット１２の電動式の前後移動機構１４６及び電動式の伸縮機構１４７等について説明し、第２スラット群ユニット５２の電動式の前後移動機構及び電動式の伸縮機構等についての説明は省略する。
【００７２】
窓枠１６の上枠部１６ａ下面には、第１スラット群ユニット１２の長手方向に間隔をあけてチャンネル状の４個のブラケット１４８がそれぞれ取付けられる。これらのブラケット１４８の下面に前後方向用スライドレール１４９を介して第１スラット群ユニット１２の前後方向に移動可能にフラットバー部材１５１が取付けられ、このフラットバー部材１５１の下面に長手方向用スライドレール１５２を介して第１スラット群ユニット１２の長手方向に移動可能に２組の取付フレーム１６２，１６３が取付けられる。上記フラットバー部材１５１は第１スラット群ユニット１２の長手方向に延びて設けられ、２組の取付フレーム１６２，１６３は第１スラット群ユニット１２の長手方向に所定の間隔をあけて一直線状に延びて設けられかつ長手方向に相対的に移動可能に構成される。また、２組の取付フレーム１６２，１６３により第１フレームユニット１６１が構成され、第１スラット群ユニット１２の２組のスラット群１３，１４は第１フレームユニット１６１の２組の取付フレーム１６２，１６３からそれぞれ垂下される。
【００７３】
図１３及び図１４に示すように、電動式の前後移動機構１４６は、窓枠１６の上枠部１６ａ下面に取付けられ第１フレームユニット１６１の長手方向中央の上方に位置する左右一対の前後移動用モータ１４６ａと、フラットバー部材１５１にその長手方向に間隔をあけて取付けられ水平面内でフラットバー部材１５１の長手方向に直交する方向に延びるねじ孔（図示せず）がそれぞれ形成された４個の前後移動用スライダ１４６ｂと、これらの前後移動用スライダ１４６ｂのねじ孔に螺合する雄ねじ部１４６ｃが先端部に形成され窓枠１６の上枠部１６ａ下面に回転可能であって軸方向に移動不能にねじ用ステー１４６ｄを介して取付けられた４本の前後移動用リードねじ部材１４６ｅと、一対の前後移動用モータ１４６ａの出力軸に接続されフラットバー部材１５１の長手方向にそれぞれ延びて設けられかつシャフト用ステー１４６ｆを介してねじ用ステー１４６ｄに回転可能に取付けられた左右一対の回転伝達シャフト１４６ｇ，１４６ｇと、これらの回転伝達シャフト１４６ｇ，１４６ｇのうち前後移動用リードねじ部材１４６ｅと交差する部分にそれぞれ嵌着された４個のウォーム１４６ｈと、４本の前後移動用リードねじ部材１４６ｅの基端部に嵌着され４個のウォーム１４６ｈにそれぞれ噛合する４個のウォームホイール１４６ｉとを有する。また、前後方向用スライドレール１４９は、ブラケット１４８の下面にその長手方向に延びて取付けられ両側外面に複数の鋼球（図示せず）が転動可能な一対の第１溝（図示せず）が形成された上側固定片１４９ａと、フラットバー部材１５１の上面に取付けられ両側内面に複数の鋼球が転動可能な一対の第２凹溝（図示せず）が形成されかつ上側固定片１４９ａに被せられこの上側固定片１４９ａに対して相対的に移動可能に設けられたチャンネル状の下側可動片１４９ｂとを有する。
【００７４】
一方、図１３及び図１４に示すように、電動式の伸縮機構１４７は、フラットバー部材１５１下面のうち２組の取付フレーム１６２，１６３の間に取付けられ出力軸に直交する軸挿通孔（図示せず）が形成された減速機付き中空モータにより構成された伸縮用モータ１４７ａと、伸縮用モータ１４７ａの軸挿通孔に挿着され右側に右雄ねじが形成されかつ左側に左雄ねじが形成された伸縮用リードねじ部材１４７ｂと、２組の取付フレーム１６２，１６３の互いに対向する面に取付けられ上記伸縮用リードねじ部材１４７ｂの右雄ねじ及び左雄ねじに螺合する右雌ねじ及び左雌ねじがそれぞれ形成された左右一対の伸縮用スライダ１４７ｃ，１４７ｄとを有する。また、長手方向用スライドレール１５２は、フラットバー部材１５１の下面にＬ字型のステー１５３を介してフラットバー部材１５１の長手方向に延びて取付けられ両側外面に複数の鋼球１５２ｂが転動可能な一対の第１溝（図示せず）が形成された外側固定片１５２ａと、２組の取付フレーム１６２，１６３の上部側面に取付けられ両側内面に複数の鋼球１５２ｂが転動可能な一対の第２凹溝（図示せず）が形成されかつ外側固定片１５２ａに被せられこの外側固定片１５２ａに対して相対的に移動可能に設けられたチャンネル状の内側可動片１５２ｃとを有する。
【００７５】
一方、第１スラット群ユニット１２の電動式の昇降機構及びチルト機構は、昇降・チルト用モータ１６４を有する（図１８）。また、第１スラット群ユニット１２の２組のスラット群１３，１４の上限位置及び下限位置は上限リミットスイッチ１６５及び下限リミットスイッチ１６６により検出され、第１スラット群ユニット１２の下降中での障害物への接触による停止が障害物停止スイッチ（図示せず）により検出され、これら２組のスラット群１３，１４の各スラット１３ａ，１４ａの全閉限界角度及び全開限界角度は全閉リミットスイッチ１６７及び全開リミットスイッチ１６８により検出される。上限リミットスイッチ１６５及び下限リミットスイッチ１６６はボトムレール２７，２８が最下限及び最上限に達したときにオンするスイッチであり、全閉リミットスイッチ１６７及び全開リミットスイッチ１６８は昇降・チルト用モータ１６４に設けられたロータリエンコーダからのエンコーダ信号を計測してスラット１３ａ，１４ａの全閉限界角度及び全開限界角度を検出するスイッチである。更に、第１スラット群ユニット１２の前方限界位置及び後方限界位置は前方リミットスイッチ１６９及び後方リミットスイッチ１７０により検出され、第１スラット群ユニット１２の伸長限界位置及び縮小限界位置は伸長リミットスイッチ１７１及び縮小リミットスイッチ１７２により検出される。前方リミットスイッチ１６９及び後方リミットスイッチ１７０は４個の前後方向用スライドレール１４９のいずれか少なくとも１個に設けられこのスライドレール１４９の下側可動片１４９ｂが上側固定片１４９ａに対して前方限界位置及び後方限界位置に達したときにオンするスイッチであり、伸長リミットスイッチ１７１及び縮小リミットスイッチ１７２は４個の長手方向用スライドレール１５２のうち右側の２個の長手方向用スライドレール１５２，１５２のいずれか１個及び左側の２個の長手方向用スライドレール１５２，１５２のいずれか１個に設けられこれらのスライドレール１５２の内側可動片１５２ｃが外側固定片１５２ａに対して伸長限界位置及び縮小限界位置に達したときにオンするスイッチである。
【００７６】
上記上限リミットスイッチ１６５、下限リミットスイッチ１６６、チルト角の全閉リミットスイッチ１６７、チルト角の全開リミットスイッチ１６８、前方リミットスイッチ１６９、後方リミットスイッチ１７０、伸長リミットスイッチ１７１及び縮小リミットスイッチ１７２の検出出力は第１スラット群ユニット１２用の第１コントローラ１７３の制御入力に接続される（図１８）。また、第１コントローラ１７３の制御出力は昇降・チルト用モータ１６４、前後移動用モータ１４６ａ及び伸縮用モータ１４７ａに接続される。また、図示しないが第２スラット群ユニット５２の各リミットスイッチは、上記第１コントローラ１７３とは別の第２コントローラ（図示せず）の制御入力に接続され、第２スラット群ユニット５２の各モータは第２コントローラの制御出力に接続される。更に、第１コントローラ１７３には第１メモリ１７４が接続され、第２コントローラには第２メモリ（図示せず）が接続される。
【００７７】
上記第１メモリ１７４には、上記各リミットスイッチ１６５〜１７２の検出出力に基づいて、第１スラット群ユニット１２の下端が最下限位置に達したときに、第１スラット群ユニット１２をその前後方向に移動する制御手順が記憶される。即ち、第１スラット群ユニット１２の下端が最下限位置に達していないときには、第１スラット群ユニット１２をその長手方向に伸長できない禁止項目が第１メモリ１７４に記憶される。これにより操作の煩雑さが軽減される。また、第１メモリ１７４には、上記各リミットスイッチ１６５〜１７２の検出出力に基づいて、第１スラット群ユニット１２が長手方向に縮小して最も縮小した状態（初期状態）以外の状態にあるとき、即ち第１スラット群ユニット１２が、重合しているか否かに拘らず伸長している間、重合して停止している間、及び重合しているか否かに拘らず縮小している間の状態にあるとき、第１スラット群ユニット１２の昇降及びチルトを不能にする禁止項目が記憶される。これにより第１スラット群ユニット１２と別の第２スラット群ユニット５２の接触を阻止できるので、第１スラット群ユニット１２や別の第２スラット群ユニット５２の損傷を防止できる。
【００７８】
更に、第１メモリ１７４には、上記各リミットスイッチ１６５〜１７２の検出出力に基づいて、第１スラット群ユニット１２の２組のスラット群１３，１４の各スラット１３ａ，１４ａが最も光漏れの少ない角度に調節された状態で、第１スラット群ユニット１２を別の第２スラット群ユニット５２の方向に伸長させる制御手順が記憶される。即ち、第１スラット群ユニット１２の２組のスラット群１３，１４の各スラット１３ａ，１４ａが最も光漏れの少ない角度に調節されていない状態では、第１スラット群ユニット１２を伸長できない禁止項目が第１メモリ１７４に記憶される。これにより第１スラット群ユニット１２の前後方向への移動距離が少なくなり、横型ブラインド１４０の施工に必要な水平面内の面積を少なくすることができるとともに、第１スラット群ユニット１２を伸長させた後にチルト角を最も光漏れの少ない角度に調節する過程で、第１スラット群ユニット１２と別の第２スラット群ユニット５２との接触を防止できる。第２メモリにも第１メモリ１７４と同様の禁止項目や制御手順等が記憶される。
【００７９】
なお、上記第１スラット群ユニット１２近傍の壁面には、第１スラット群ユニット１２のスラット群１３，１４を同時に昇降しまた同時にチルトし、第１スラット群ユニット１２を前後方向に移動し、更に第１スラット群ユニット１２を伸長又は縮小するための第１リモコン又は第１操作スイッチ（図示せず）が取付けられる。また、上記別の第２スラット群ユニット５２近傍の壁面には、別の第２スラット群ユニット５２のスラット群５３，５４を同時に昇降しまた同時にチルトし、第２スラット群ユニット５２を前後方向に移動し、更に第２スラット群ユニット５２を伸長又は縮小するための第２リモコン（図示せず）又は第２操作スイッチ（図示せず）が取付けられる。また、図１５中の符号１８１は別の第２スラット群ユニット５２を垂下する別の第２フレームユニットであり、この別の第２フレームユニット１８１は２組の取付フレーム１８２，１８３を有する。また、別の第２スラット群ユニット５２や別の第２フレームユニット１８１は、第１スラット群ユニット１２や第１フレームユニット１６１を操作するリモコン又は操作スイッチとは別のリモコン又は操作スイッチにより操作される。更に、図１５中の符号５７，５８は、別の第２スラット群ユニット５２の２組のスラット群５３，５４の下端にそれぞれ設けられたボトムレールである。上記以外は第４の実施の形態と同一に構成される。
【００８０】
このように構成された横型ブラインド１４０の使用方法及び動作を図１６及び図１７のフローチャート図に基づいて説明する。横長の窓枠１６内の連窓から差し込む光を遮蔽する場合、先ず、第１スラット群ユニット１２用の第１リモコン又は第１操作スイッチを用いて、第１スラット群ユニット１２の各スラット１３ａ，１４ａを同時に起立させるとともに、第１スラット群ユニット１２を同時に下降させる操作を行うと、昇降・チルト用モータが起動する。そして、各スラット１３ａ，１４ａのチルト角が全閉限界位置に達し、チルト角の全閉リミットスイッチ１６７がオンして全閉停止信号が第１スラット群ユニット１２用の第１コントローラ１７３に入力されると、第１コントローラ１７３は昇降・チルト用モータ１６４によるチルト角の全閉回転を停止させる。第１ボトムユニット２６が下限位置に達し、下限リミットスイッチ１６６がオンして下降停止信号が第１コントローラ１７３に入力されると、第１コントローラ１７３は昇降・チルト用モータ１６４を停止して第１スラット群ユニット１２の下降を停止させる（図１５（ａ））。
【００８１】
チルト角の全閉リミットスイッチ１６７がオンし、下限リミットスイッチ１６６がオンし、かつリモコン又は操作スイッチから停止信号がない場合、第１スラット群ユニット１２を後方に移動し、前後移動用モータ１４６ａが起動する。これにより前後移動用モータ１４６ａの回転力が回転伝達シャフト１４６ｇ、ウォーム１４６ｈ及びウォームホイール１４６ｉを介して前後移動用リードねじ部材１４６ｅに伝達され、この前後移動用リードねじ部材１４６ｅの回転により前後移動用スライダ１４６ｂが図１４（ｂ）の破線矢印の方向に移動する。そして、第１スラット群ユニット１２が後方限界位置に達し、後方リミットスイッチ１７０がオンして後方移動停止信号が第１コントローラ１７３に入力されると、第１コントローラ１７３は前後移動用モータ１４６ａを停止して第１スラット群ユニット１２の後方への移動を停止させる。
【００８２】
後方リミットスイッチ１７０がオンし、かつ第１リモコン又は第１操作スイッチの停止信号がない場合、第１スラット群ユニット１２を伸長させる伸縮用モータ１４７ａが起動する。これにより伸縮用モータ１４７ａの回転力が伸縮用リードねじ部材１４７ｂに伝達され、この伸縮用リードねじ部材１４７ｂの回転より伸縮用スライダ１４７ｃ,１４７ｄが互いに離れる方向に移動する。そして、第１スラット群ユニット１２が伸長限界位置に達し、伸長リミットスイッチ１７１がオンして伸長停止信号が第１コントローラ１７３に入力されると、第１コントローラ１７３は第１スラット群ユニット１２の伸長を停止させる。ここで、第１スラット群ユニット１２がその長手方向に伸長し始めると、第１コントローラ１７３は各リミットスイッチ１６５〜１７２の検出出力に基づいて、第１スラット群ユニット１２が長手方向に縮小して最も縮小した状態（初期状態）以外の状態にあることを検出して、第１スラット群ユニット１２の昇降及びチルトを禁止（不能に）する。このとき、第１スラット群ユニット１２と別の第２スラット群ユニット５２との互いに対向する端面の隙間が狭くなるので、この隙間からの光漏れを減少できるとともに、別の第２スラット群ユニット５２を昇降及びチルトできるので、別の第２スラット群ユニット５２の操作性を良好に保つことができる。
【００８３】
一方、第２スラット群ユニット５１用の第２リモコン又は第２操作スイッチにより、第２スラット群ユニット５２を伸長させるための操作を行うと、上記と同様に伸縮用モータが起動する。これにより上記と同様に伸縮用モータの回転力が伸縮用リードねじ部材に伝達され、この伸縮用リードねじ部材の回転より伸縮用スライダが互いに離れる方向に移動する。そして、第２スラット群ユニット５２が伸長限界位置に達し、伸長リミットスイッチがオンして伸長停止信号が第２スラット群ユニット５２用の第２コントローラに入力されると、第２コントローラは第２スラット群ユニット５２の伸長を停止させる（図１５（ｂ））。ここで、第２スラット群ユニット５２がその長手方向に伸長し始めると、第２コントローラは各リミットスイッチの検出出力に基づいて、第２スラット群ユニット５２が長手方向に縮小して最も縮小した状態（初期状態）以外の状態にあることを検出して、第２スラット群ユニット５２の昇降及びチルトを禁止（不能に）する。これにより第１スラット群ユニット１２と別の第２スラット群ユニット５２の互いに対向する端部が重合するので、第１スラット群ユニット１２と別の第２スラット群ユニット５２との間の光漏れを防止できるとともに、第１スラット群ユニット１２と別の第２スラット群ユニット５２との接触を阻止できるので、第１スラット群ユニット１２や別の第２スラット群ユニット５２の損傷を防止できる。
【００８４】
上記操作により、第１スラット群ユニット１２の隣り合うスラット群１３，１４の重合長さが小さくなり、第２スラット群ユニット５２の隣り合うスラット群５３，５４の重合長さが小さくなるけれども、いずれも重合した状態に保たれるとともに、第１スラット群ユニット１２の一部と第２スラット群ユニット５２の一部が重合する。この結果、光漏れが生じる隙間量の総和が変化して、第１及び第２スラット群ユニット１２，５２により横長の連窓のほぼ全てが覆われる。即ち、第１スラット群ユニット１２の隣り合うスラット群１３，１４間の隙間、第１スラット群ユニット１２の外側面及び窓枠１６の右枠部間の隙間と、第２スラット群ユニット５２の隣り合うスラット群５３，５４間の隙間、及び第２スラット群ユニット５２の外側面及び窓枠１６の左枠部間の隙間が塞がれるので、これらの隙間からの光漏れを防止できる。上記以外の使用方法及び動作並びに作用・効果は、第４の形態と略同様であるので、繰返しの説明を省略する。
【００８５】
なお、上記第１〜第３の実施の形態では、１組の取付フレームを窓枠の上枠部に取付けたが、１組の取付フレームを天井又は壁に取付けてもよい。また、上記第４〜第５の実施の形態では、第１フレームユニットを窓枠の上枠部に取付けたが、第１フレームユニットを天井又は壁に取付けてもよい。また、上記第１〜第３の実施の形態では、第１スラット群ユニットが２組のスラット群を有するように構成したが、第１スラット群ユニットが３組以上のスラット群を有するように構成してもよい。また、上記第４〜第５の実施の形態では、第１フレームユニットが２組の取付フレームを有し、第１スラット群ユニットが２組のスラット群を有するように構成したが、第１フレームユニットが３組以上の取付フレームを有し、第１スラット群ユニットが３組以上のスラット群を有するように構成してもよい。また、上記第１〜第５の実施の形態では、日射遮蔽装置として複数のスラットを有する横型ブラインドを挙げたが、ジグザグ状又はハニカム状のスクリーンを有するプリーツスクリーンや、展開時に略平坦になるスクリーンを有するローマンシェード等の日射遮蔽装置でもよい。
【００８６】
また、上記第５の実施の形態では、第１スラット群ユニットを第１コントローラで制御し、別の第２スラット群ユニットを第２コントローラで制御したが、第１スラット群ユニットと別の第２スラット群ユニットを単一のコントローラで同時に制御してもよい。この場合、第１スラット群ユニットを後方に移動させて第１スラット群ユニット及び別の第２スラット群ユニットを同時に伸長させたり、或いは第１スラット群ユニットを前方に移動させて第１スラット群ユニット及び別の第２スラット群ユニットを同時に伸長させたり、或いは別の第２スラット群ユニットを後方又は前方に移動させて、第１スラット群ユニット及び別第２スラット群ユニットを同時に伸長させてもよい。また、上記第１〜第５の実施の形態では、第１ボトムユニットのうち別の第２ボトムユニットに対向するボトムレールに別の第２ボトムユニットに向ってひれ部材を突設しなかったが、第１ボトムユニットのうち別の第２ボトムユニット等に対向するボトムレールに別の第２ボトムユニット等に向ってひれ部材を突設してもよい。この場合、第１遮蔽体ユニットが長手方向に伸長すると、第１ボトムユニットから突設されたひれ部材が別の第２ボトムユニット等に接近するので、第１ボトムユニットと別の第２ボトムユニット等の間の隙間がひれ部材によりほぼ閉止されるので、上記隙間からの光漏れを抑制できる。
【００８７】
また、上記第１〜第５の実施の形態では、隣り合う２組のボトムレールの互いに対向する端面に何も取付けなかったが、隣り合う２組のボトムレールの互いに対向する端面にこれらのボトムレールを延長する雌部材及び雄部材をそれぞれ取付けてもよい。具体的には、一方のボトムレールに雄部材を突設し、他方のボトムレールに雌部材を突設し、雌部材が雄部材に相対移動可能に嵌入される。これにより、第１スラット群ユニットの長手方向への伸長又は縮小に拘らず、隣り合うボトムレール間が雌部材及び雄部材により閉止された状態に保たれるので、第１スラット群ユニットが長手方向に縮小しても、ボトムレール同士の接触によるスラット同士の奥行方向の隙間の発生を阻止でき、重合したスラット群からの光漏れを防止できる。また、上記第１〜第５の実施の形態では、隣り合う２組のボトムレールの互いに対向する端面に何も取付けなかったが、隣り合う２組のボトムレールの互いに対向する端面にこれらのボトムレールを延長する帯板状の一対のひれ部材をそれぞれ取付けてもよい。この場合、一対のひれ部材の一部が互いに重合し、２組のスラット群の複数のスラットが起立したときに、２組のボトムレールも起立するように構成される。これにより、第１スラット群ユニットが長手方向に伸長又は縮小しても、２組のボトムレールが２組のスラット群とともに起立し、隣り合うボトムレール間がひれ部材により閉止されるので、第１スラット群ユニットが長手方向に縮小しても、ボトムレール同士の接触によるスラット同士の奥行方向の隙間の発生を阻止でき、重合したスラット群からの光漏れを防止できる。
【００８８】
また、上記第２の実施の形態では、第１スラット群ユニットの右側のスラット群の各スラットと左側のスラット群の各スラットを一対の横紐で挟んで吊下げる重合用ラダーコードを重合部の左部に設け、左側のスラット群の各スラットを一対の横紐で挟んで吊下げる重合用ラダーコードを重合部の右部に設けたが、右側のスラット群の各スラットと左側のスラット群の各スラットを一対の横紐で挟んで吊下げる重合用ラダーコードを重合部の右部に設け、左側のスラット群の各スラットを一対の横紐で挟んで吊下げる重合用ラダーコードを重合部の左部に設けてもよく、或いは左右のスラット群の各スラットを一対の横紐で挟んで吊下げる重合用ラダーコードを重合部の右部又は左部に設け、左右のスラット群の各スラットを一対の横紐で挟んで吊下げる重合用ラダーコードを重合部の左部又は右部に設けてもよい。また、上記第４及び第５の実施の形態では、２組の取付フレームをこれらの長手方向に相対的に移動可能に間隔をあけて連結した状態で窓枠等に取付けたが、２組の取付フレームを連結せずにこれらの長手方向に相対的に移動可能に間隔をあけて窓枠等に取付けてもよい。
【００８９】
また、第１〜第５の実施の形態では、第１スラット群ユニットを長手方向に伸長させることにより、第１スラット群ユニットと別の第２スラット群ユニットとの互いに対向する端面の隙間が狭くなり、別の第２スラット群ユニットを長手方向に伸長させることにより、第１スラット群ユニットと別の第２スラット群ユニットとの互いに対向する端部が重合するように構成したが、第１スラット群ユニットを長手方向に伸長させることにより、第１スラット群ユニットと別の第２スラット群ユニットとの互いに対向する端部が重合し、別の第２スラット群ユニットを長手方向に伸長させることにより、第１スラット群ユニットと別の第２スラット群ユニットとの互いに対向する端部の重合長さが長くなるように構成してもよい。また、第１〜第５の実施の形態では、一部が重合する２組のスラット群を有する別の第２スラット群ユニットを第１スラット群ユニットに隣接して設けたが、長手方向に伸長や縮小しない別のスラット群を第１スラット群ユニットに隣接して設けてもよい。この場合、第１スラット群ユニットが伸長することにより、第１スラット群ユニットが別のスラット群に重合する。
【００９０】
また、上記第５の実施の形態では、第１スラット群ユニット及び別の第２スラット群ユニットを初期状態を除いてそれぞれ昇降及びチルト不能に構成したが、初期状態を除いてそれぞれ昇降又はチルト不能に構成してもよく、或いは第１スラット群ユニット単独でも初期状態を除いて昇降又はチルト或いは昇降及びチルト不能に構成してもよい。また、上記第５の実施の形態では、第１遮蔽体ユニット及び別の第２遮蔽体ユニットの下端が最下限位置に達したとき又は最下限に近い位置で、第１遮蔽体ユニット及び別の第２遮蔽体ユニットがその長手方向に伸長するように構成したが、第１スラット群ユニットが単独で設置され、この第１スラット群ユニットの下端が最下限位置に達したとき又は最下限に近い位置で、第１遮蔽体ユニットがその長手方向に伸長するように構成してもよい。更に、上記第５の実施の形態では、第１スラット群ユニット及び別の第２スラット群ユニットの各スラットが最も光漏れの少ない角度に調節された状態で、第１スラット群ユニット及び別の第２スラット群ユニットがその長手方向に伸長するように構成したが、第１スラット群ユニットが単独で設置され、第１スラット群ユニットのスラットが最も光漏れの少ない角度に調節された状態で、第１スラット群ユニットがその長手方向に伸長するように構成してもよい。
【符号の説明】
【００９１】
１０，６０，８０，１００，１４０  横型ブラインド（日射遮蔽装置）
１１，１０２，１０３，１２２，１２３，１６２，１６３，１８２，１８３  取付フレーム
１２  第１スラット群ユニット（第１遮蔽体ユニット）
１３，１４，５３，５４  スラット群（遮蔽体）
１３ａ，１４ａ，５３ａ，５４ａ  スラット
１６  窓枠
２６，５６  第１ボトムユニット
２７，２８，５７，５８  ボトムレール
５１  別の取付フレーム
５２  別の第２スラット群ユニット（別の第２遮蔽体ユニット）
５６  別の第２ボトムユニット
１０１，１６１  第１フレームユニット
１２１，１８１  別の第２フレームユニット
【図１】
2018178664.tif 000003
【図２】
2018178664.tif 000004
【図３】
2018178664.tif 000005
【図４】
2018178664.tif 000006
【図５】
2018178664.tif 000007
【図６】
2018178664.tif 000008
【図７】
2018178664.tif 000009
【図８】
2018178664.tif 000010
【図９】
2018178664.tif 000011
【図１０】
2018178664.tif 000012
【図１１】
2018178664.tif 000013
【図１２】
2018178664.tif 000014
【図１３】
2018178664.tif 000015
【図１４】
2018178664.tif 000016
【図１５】
2018178664.tif 000017
【図１６】
2018178664.tif 000018
【図１７】
2018178664.tif 000019
【図１８】
2018178664.tif 000020